(57)【要約】【課題】皮膚の一定の広がりの部分に皮膚に対して有益な薬剤を投与する方法を提供する。【解決手段】この方法は、（ａ）上記皮膚の一定の広がりの部分を、皮膚に対して有益な薬剤に、接触させる過程と、（ｂ）上記皮膚の一定の広がりの部分の上の、皮膚に対して有益な薬剤を、約０．２Ｗよりも大きい、上記皮膚に対する出力を有する装置に、接触させる過程と、を含み、この装置は、皮膚接触可能な表面を有する皮膚接触可能な要素と、モータと、上記皮膚接触可能な表面に周期的な動作を与えるために、上記モータから上記皮膚接触可能な要素に機械的なエネルギーを伝達するための伝達部材と、を備えており、上記皮膚接触可能な表面は、上記皮膚に対して有益な薬剤に、接触する。【選択図】図１
2007520269.tif 000002
【特許請求の範囲】
【請求項１】
皮膚の一定の広がりの部分に、皮膚に対して有益な薬剤を投与する方法において、
（ａ）前記皮膚の一定の広がりの部分を、皮膚に対して有益な薬剤に、接触させる過程と、
（ｂ）前記皮膚の一定の広がりの部分の上の、皮膚に対して有益な薬剤を、約０．２Ｗよりも大きい、前記皮膚に対する出力を有する装置に、接触させる過程と、
を含み、
前記装置は、
（ｉ）皮膚接触可能な表面を有する皮膚接触可能な要素と、
（ｉｉ）モータと、
（ｉｉｉ）前記皮膚接触可能な表面に周期的な動作を与えるために、前記モータから前記皮膚接触可能な要素に機械的なエネルギーを伝達するための伝達部材と、を備えており、
前記皮膚接触可能な表面は、前記皮膚に対して有益な薬剤に接触する、方法。
【請求項２】
皮膚の一定の広がりの部分に皮膚に対して有益な薬剤を投与する方法において、
（ａ）前記皮膚の一定の広がりの部分を装置に接触させる過程であって、前記装置が
（ｉ）皮膚接触可能な表面を有する皮膚接触可能な要素と、
（ｉｉ）モータと、
（ｉｉｉ）前記皮膚接触可能な表面に周期的な動作を与えるために、前記モータから前記皮膚接触可能な要素に機械的なエネルギーを伝達するための伝達部材と、を備えている、過程と、
（ｂ）前記皮膚の一定の広がりの部分を前記装置に接触させる過程が終わった後に、その皮膚の一定の広がりの部分を有益な薬剤にさらに接触させる過程と、
を含み、
前記有益な薬剤は、レチノイド、銅含有物、皮膚引き締め剤、脱色剤、およびこれらの組み合わせ物から成る群から選択される、方法。
【請求項３】
レチノイド、銅含有物、皮膚引き締め剤、脱色剤、およびこれらの組み合わせ物から成る群から選択される、皮膚に対して有益な薬剤を含有している組成物を含む製品において、
皮膚の一定の広がりの部分を、当該皮膚の一定の広がりの部分に機械的なエネルギーを与える装置に接触させた後に、その皮膚の一定の広がりの部分に前記組成物を供給するように、使用者に指示する説明書、をさらに備えている製品。
【請求項４】
皮膚の一定の広がりの部分に機械的なエネルギーを送達するための装置において、
（ａ）皮膚接触可能な表面を有する皮膚接触可能な要素であって、有益な薬剤、装置向上剤、およびこれらの組み合わせ物から成る群から選択される、薬剤を含む、皮膚接触可能な要素と、
（ｂ）モータと、
（ｃ）前記皮膚接触可能な表面に周期的な動作を与えるために、前記モータから前記皮膚接触可能な要素に機械的なエネルギーを伝達するための伝達部材と、
を備えており、
前記薬剤は、前記皮膚接触可能な表面を前記皮膚の一定の広がりの部分に接触させる時に、前記皮膚接触可能な要素からその皮膚の一定の広がりの部分に放出されるように構成されている、装置。
【請求項５】
製品において、
（ａ）皮膚接触可能な表面を有する皮膚接触可能な要素であって、有益な薬剤、装置向上剤、およびこれらの組み合わせ物から成る群から選択される、薬剤を含む、皮膚接触可能な要素と、
（ｂ）前記皮膚接触可能な要素を動力化した装置に連結させるように、使用者に指示する説明書であって、この動力化した装置は機械的なエネルギーを前記皮膚接触可能な表面に与えるためのものである、説明書と、
を含み、
前記薬剤は、前記皮膚接触可能な表面を前記皮膚の一定の広がりの部分に接触させる時に、前記皮膚接触可能な要素からその皮膚の一定の広がりの部分に放出されるように構成されている、製品。
【請求項６】
皮膚の一定の広がりの部分に機械的なエネルギーを送達するための装置において、
（ａ）皮膚接触可能な表面を有する皮膚接触可能な要素と、
（ｂ）モータと、
（ｃ）前記皮膚接触可能な表面に周期的な動作を与えるために、前記モータから前記皮膚接触可能な要素に機械的なエネルギーを伝達するための伝達部材と、
を備えており、
前記皮膚接触可能な要素は、前記装置の動作の一定時間の期間の経過後に、使用者に対して認識できる感覚の変化を与えることに適合している信号マーカー、を含んでおり、前記感覚は、触覚、嗅覚、熱、視覚、聴覚、およびこれらの組み合わせから成る群から選択される、装置。
【請求項７】
製品において、
（ａ）装置の動作の一定時間の期間の経過後に、使用者に対して認識できる感覚の変化を与えることに適合している信号マーカー、を含んでいる皮膚接触可能な要素であって、前記感覚は、触覚、嗅覚、熱、視覚、聴覚、およびこれらの組み合わせから成る群から選択される、皮膚接触可能な要素と、
（ｂ）前記皮膚接触可能な要素を動力化した装置に連結させることを、使用者に指示する説明書と、
を含んでおり、
前記動力化した装置は前記皮膚接触可能な表面に機械的なエネルギーを与えるためのものである、製品。
【請求項８】
皮膚に機械的なエネルギーを送達するための装置において、
（ａ）ユーザー出力組立体であって、
（ｉ）皮膚接触可能な表面を有する皮膚接触可能な要素と、
（ｉｉ）モータと、
（ｉｉｉ）前記モータから前記皮膚接触可能な要素にエネルギーを伝達するための伝達部材と、を含む、ユーザー出力組立体と、
（ｂ）使用者により前記装置に与えられるユーザー属性データを受容することに適合している受容要素と、
（ｃ）前記受容要素および前記ユーザー出力組立体に連結されているコントローラと、
を含んでおり、
前記コントローラは、前記受容要素により受容されているユーザー属性データに基いて、前記ユーザー出力組立体に対して動作の命令を行なう、装置。
【請求項９】
皮膚の一定の広がりの部分に機械的なエネルギーを送達するための装置において、
（ａ）ユーザー出力組立体であって、
（ｉ）皮膚接触可能な表面を有する皮膚接触可能な要素と、
（ｉｉ）モータと、
（ｉｉｉ）前記モータから前記皮膚接触可能な要素にエネルギーを伝達するための伝達部材と、を含む、ユーザー出力組立体と、
（ｂ）前記皮膚接触可能な表面に連通している検出部であって、前記皮膚の一定の広がりの部分に付随している少なくとも一つの特性の状態を感知することができ、この少なくとも一つの特性は、熱特性、化学特性、光学特性、およびこれらの組み合わせから成る群から選択される、検出部と、
（ｃ）前記検出部および前記ユーザー出力組立体に連結されているコントローラであって、前記検出部により感知された少なくとも一つの特性の内の一つ以上に基いて、前記ユーザー出力組立体に対して動作の命令を行なう、コントローラと、
を含んでいる、装置。
【請求項１０】
請求項１に記載の方法において、
（ｉ）前記皮膚接触可能な表面は第１の補助表面および第２の補助表面を含み、
（ｉｉ）前記方法は、前記第２の補助表面が前記第１の補助表面に対してばらばらの関係で移動するように、前記第１の補助表面に対して第１の周期的な動作と、前記第２の補助表面に対して第２の周期的な動作と、を与える過程、をさらに含む、方法。
【請求項１１】
請求項１に記載の方法、請求項４に記載の装置、または請求項５に記載の製品、において、
前記有益な薬剤は、反射剤、皮膜形成ポリマー、アミノ酸およびこれらの誘導体、アレルギー抑制剤、抗アクネ剤、老化防止剤、しわ抑制剤、消毒薬、鎮痛薬、光沢調整剤、かゆみ止め、抗菌剤、脱毛抑制剤、毛髪成長促進薬、毛髪成長抑制薬、抗ヒスタミン薬、抗感染薬、抗炎症剤、抗コリン作用薬、血管収縮薬、血管拡張薬、創傷治癒促進薬、ペプチド、ポリペプチドおよび蛋白質、消臭薬および制汗薬、皮膜形成ポリマー、ビタミン、皮膚白色化剤、皮膚黒色化剤、抗真菌薬、脱毛剤、反対刺激薬、酵素および酵素抑制剤、ツタウルシ製品、ウルシ（poison ivy）製品、やけど用製品、おむつかぶれ防止剤、紅色汗疹剤、ハーブ抽出物、フラボノイド、センセート、酸化防止薬、毛髪白色化薬、キレート化剤、角質溶解薬、サンスクリーン剤、抗水腫剤、およびこれらの混合物、から成る群から選択される、方法、装置、または製品。
【請求項１２】
請求項１に記載の方法において、
前記皮膚接触可能な要素は前記有益な薬剤を含有しており、この有益な薬剤はその皮膚接触可能な要素から前記皮膚の一定の広がりの部分に伝達される、方法。
【請求項１３】
請求項２に記載の方法において、
前記接触はしばらくの期間の経過後に始まり、このしばらくの期間は、前記皮膚接触可能な表面に対する前記皮膚の一定の広がりの部分の接触が終わった時と、前記有益な薬剤に対する前記皮膚の一定の広がりの部分の接触が始まった時と、の間の時間の期間により定められ、このしばらくの期間は１２時間よりも短い、方法。
【請求項１４】
請求項２に記載の方法において、
前記接触はしばらくの期間の経過後に始まり、このしばらくの期間は、前記皮膚接触可能な表面に対する前記皮膚の一定の広がりの部分の接触が終わった時と、前記有益な薬剤に対する前記皮膚の一定の広がりの部分の接触が始まった時と、の間の時間の期間により定められ、このしばらくの期間は３０分よりも短い、方法。
【請求項１５】
請求項４に記載の装置において、
前記皮膚接触可能な要素は、前記皮膚接触可能な表面の少なくとも一部分を形成している制御層、をさらに含み、この制御層は一定の遅延期間にわたり変性するように構成されている、装置。
【請求項１６】
請求項５に記載の製品において、
前記皮膚接触可能な要素は、前記皮膚接触可能な表面の少なくとも一部分を形成している制御層、をさらに具備し、この制御層は一定の遅延期間にわたり変性するように構成されている、装置。
【請求項１７】
皮膚に機械的なエネルギーを送達するための方法において、
（ａ）請求項８に記載の装置の受容要素に、ユーザー属性データを、供給する過程と、
（ｂ）前記装置の皮膚接触可能な表面に、皮膚の一定の広がりの部分を接触させる過程と、
を含む、方法。
【請求項１８】
皮膚に機械的なエネルギーを送達するための方法において、
請求項９に記載の装置の皮膚接触可能な表面に、皮膚の一定の広がりの部分を接触させる過程、を含む、方法。
【発明の詳細な説明】
【開示の内容】
【０００１】
〔発明の分野〕
本発明は被験者の皮膚を治療することに関連しており、特に、機械的なエネルギーを用いて被験者の皮膚を治療することに関連している。
【０００２】
〔発明の背景〕
栄養的および医療的な治療における進歩と共に、平均の米国人および世界の人々の寿命の予測値は劇的に延びている。この結果、これらの人々の大部分は、増加している皮膚の健康の問題を含む、老化の付随の影響、を受けている。生命をおびやかすことはめったにないが、皮膚の健康の問題は不快になり、慢性の障害を引き起こす可能性がある。加えて、皮膚はかなり目立つので、皮膚の健康の問題および美容としての皮膚の状況は、これらの問題をかかえている患者における精神的なストレスにつながる可能性がある。老化しつつある人々の大部分は、一般の体の健康と、および身体の物理的な外観をさらに良く見て感じる方法とに関して、ますます情報を与えられている。このような、良好な健康や外観に対する要望は、人々を、健康の管理や皮膚の管理に対する改善された解決方法を探し求めることに、駆り立てている。
【０００３】
多数の技法が、美顔用および／または皮膚の若返り用の恩恵を与えるために、提案されている。比較的に評判のよい、職業的な微小皮膚剥脱の一例は、非侵襲性の処置であり、この処置においては、一定の装置が吸引により皮膚を引っ張り、剥脱を引き起こすために、剥脱性の粒子により、その皮膚に衝撃を与える。しかしながら、職業用の微小皮膚剥脱装置は、これらが大きな空間を占めて、高電力の入力を必要とし、操作中に交流電流のコンセントに差し込まれている必要がある点において、扱い難い。さらに、患者は、その患者が治療を受ける職業的なスキン・ケアの専門家にたびたび訪れる必要がある。このことは不都合であり、費用がかかる可能性がある。さらに、これらの装置は汚れやすく、皮膚の中に埋め込まれた粒子は取り除くことが困難になる可能性がある。これらの装置はまた、不快な温度まで皮膚を加熱して、その皮膚に対して過度の刺激を引き起こす可能性もある。
【０００４】
本発明は職業的な、微小皮膚剥脱の欠陥の一部または全部を伴わずに、皮膚に対して有益な効果を与える装置、に関連している。
【０００５】
〔発明の概要〕
一例の態様において、本発明は、皮膚の一定の広がりの部分に、皮膚に対して有益な薬剤を投与する方法、を特徴としており、この方法は、（ａ）皮膚に対して有益な薬剤に、皮膚の一定の広がりの部分を接触させる過程と、（ｂ）約０．２Ｗよりも大きな、皮膚に対する出力を有する装置に、その皮膚の一定の広がりの部分における皮膚に対して有益な薬剤を接触させる過程と、を含み、上記の装置は、皮膚接触可能な表面を有する皮膚接触可能な要素と、モータと、その皮膚接触可能な表面に対して周期的な動作を与えるために、上記のモータから皮膚接触可能な要素に対して、機械的なエネルギーを伝達するための伝達部材と、を備えており、この皮膚接触可能な表面は皮膚に対して有益な薬剤に接触する。
【０００６】
別の態様において、本発明は、皮膚の一定の広がりの部分に、皮膚に対して有益な薬剤を投与する方法、を特徴としており、この方法は、（ａ）一定の装置に対して皮膚の一定の広がりの部分を接触させる過程であって、その装置が、（ｉ）皮膚接触可能な表面を有する皮膚接触可能な要素と、（ｉｉ）モータと、（ｉｉｉ）その皮膚接触可能な表面に対して周期的な動作を与えるために、上記のモータから皮膚接触可能な要素に対して、機械的なエネルギーを伝達するための伝達部材と、を備えている、過程と、（ｂ）上記の皮膚の一定の広がりの部分を前記装置に接触させる過程が終わった後に、その皮膚の一定の広がりの部分を有益な薬剤に対してさらに接触させる過程であって、その有益な薬剤が、レチノイド、銅成分、皮膚引締め剤、脱色剤、およびこれらの組み合わせ物から成る群から選択される、過程と、を含んでいる。
【０００７】
別の態様において、本発明は、レチノイド、銅成分、皮膚引締め剤、脱色剤、およびこれらの組み合わせ物から成る群から選択される、皮膚に対して有益な薬剤を含有している組成物を含む製品、を特徴としており、この製品はさらに、皮膚の一定の広がりの部分に対して機械的なエネルギーを与える装置に、その皮膚の一定の広がりの部分を接触させた後に、その皮膚の一定の広がりの部分に上記の組成物を供給することを、使用者に指示する説明書、を含んでいる。
【０００８】
別の態様において、本発明は、皮膚の一定の広がりの部分に機械的なエネルギーを送達するための装置、を特徴としており、この装置は、（ａ）皮膚接触可能な表面を有する皮膚接触可能な要素であって、有益な薬剤、装置向上剤、およびこれらの組み合わせ物から成る群から選択される物質を含む、皮膚接触可能な要素と、（ｂ）モータと、（ｃ）上記の皮膚接触可能な表面に対して周期的な動作を与えるために、上記のモータから皮膚接触可能な要素に対して、機械的なエネルギーを伝達するための伝達部材と、を備えており、上記の物質は、上記の皮膚接触可能な表面を上記の皮膚の一定の広がりの部分に対して接触させる時に、その皮膚の一定の広がりの部分に上記の皮膚接触可能な要素から放出されるように構成されている。
【０００９】
別の態様において、本発明は、（ａ）皮膚接触可能な表面を有している皮膚接触可能な要素であって、有益な薬剤、装置向上剤、およびこれらの組み合わせ物から成る群から選択される物質を含む、皮膚接触可能な要素と、（ｂ）その皮膚接触可能な要素を動力化した装置に連結させることを、使用者に指示する説明書と、を含んでいる製品、を特徴としており、この動力化した装置は上記の皮膚接触可能な表面に機械的なエネルギーを与えるためのものであり、上記の物質は、上記の皮膚接触可能な表面を皮膚の一定の広がりの部分に対して接触させる時に、その皮膚の一定の広がりの部分に上記の皮膚接触可能な要素から放出されるように構成されている。
【００１０】
別の態様において、本発明は、皮膚の一定の広がりの部分に機械的なエネルギーを送達するための装置、を特徴としており、この装置は、（ａ）皮膚接触可能な表面を有している皮膚接触可能な要素と、（ｂ）モータと、（ｃ）上記の皮膚接触可能な表面に対して周期的な動作を与えるために、上記のモータから皮膚接触可能な要素に対して、機械的なエネルギーを伝達するための伝達部材と、を備えており、上記の皮膚接触可能な要素は、この装置の動作の一定時間の期間の経過後に、使用者に対して認識できる感覚の変化を与えることに適合している信号マーカー、を含んでおり、上記の感覚は、触覚、嗅覚、熱、視覚、聴覚、およびこれらの組み合わせから成る群から選択される。
【００１１】
別の態様において、本発明は、（ａ）上記の装置の動作の一定時間の期間の経過後に、使用者に対して認識できる感覚の変化を与えることに適合している信号マーカー、を含んでいる皮膚接触可能な要素であって、上記の感覚は、触覚、嗅覚、熱、視覚、聴覚、およびこれらの組み合わせから成る群から選択される、皮膚接触可能な要素と、（ｂ）その皮膚接触可能な要素を動力化した装置に連結させることを、使用者に指示する説明書と、を含んでいる製品、を特徴としており、この動力化した装置は上記の皮膚接触可能な表面に機械的なエネルギーを与えるためのものである。
【００１２】
別の態様において、本発明は、皮膚に機械的なエネルギーを送達するための装置、を特徴としており、この装置は、（ａ）ユーザー出力組立体であって、（ｉ）皮膚接触可能な表面を有する皮膚接触可能な要素と、（ｉｉ）モータと、（ｉｉｉ）このモータから上記の皮膚接触可能な要素にエネルギーを伝達するための伝達部材と、を含む、ユーザー出力組立体と、（ｂ）使用者により上記の装置に与えられるユーザー属性データを受容することに適合している受容要素と、（ｃ）この受容要素および上記のユーザー出力組立体に連結されているコントローラと、を含んでおり、このコントローラは、上記の受容要素により受容されているユーザー属性データに基いて、上記のユーザー出力組立体に対して動作の命令を行なう。
【００１３】
さらに別の態様において、本発明は、皮膚に機械的なエネルギーを送達するための方法、を特徴としており、この方法は、（ａ）直前のパラグラフに記載されている、上記の装置の受容要素、に対して、ユーザー属性データを供給する過程と、（ｂ）上記の装置の皮膚接触可能な表面に対して皮膚の一定の広がりの部分を接触させる過程と、を含んでいる。
【００１４】
別の態様において、本発明は、皮膚の一定の広がりの部分に機械的なエネルギーを送達するための装置、を特徴としており、この装置は、（ａ）ユーザー出力組立体であって、（ｉ）皮膚接触可能な表面を有する皮膚接触可能な要素と、（ｉｉ）モータと、（ｉｉｉ）このモータから上記の皮膚接触可能な要素にエネルギーを伝達するための伝達部材と、を含む、ユーザー出力組立体と、（ｂ）上記の皮膚接触可能な表面に連通している検出部であって、上記の皮膚の広がりの部分に付随している少なくとも一つの特性の状態を感知することができ、この少なくとも一つの特性は、熱特性、化学特性、光学特性、およびこれらの組み合わせから成る群から選択される、検出部と、（ｃ）この検出部および上記のユーザー出力組立体に連結されているコントローラであって、上記の検出部により感知された少なくとも一つの特性の内の一つ以上に基いて上記のユーザー出力組立体に対して動作の命令を行なう、コントローラと、を含んでいる。
【００１５】
さらに別の態様において、本発明は、皮膚に対して機械的なエネルギーを送達するための方法、を特徴としており、この方法は、直前のパラグラフに記載されている、上記の装置の皮膚接触可能な表面、に対して、皮膚の一定の広がりを接触させる過程、を含む。
【００１６】
本発明の別の特徴および利点は、当該発明の詳細な説明および特許請求の範囲により、明らかになるであろう。
【００１７】
上記において、概説されている、本発明のさらに特定の説明は、添付図面において示されているそれぞれの実施形態を参照することによって、行なわれてもよい。しかしながら、添付図面は本発明の典型的な実施形態のみを示しており、それゆえ、その範囲を限定していると考えられるべきではなく、本発明は別の等価で有効な実施形態の余地を残す可能性があることに注意する必要がある。
【００１８】
理解を容易にするために、可能な場合に、各図面に共通している同一の要素を示すために、同一の参照符号が用いられている。
【００１９】
〔発明の詳細な説明〕
別に定められていない限りにおいて、本明細書において用いられている全ての技術的および化学的な用語は、本発明の属している、当該技術分野における通常の当業者により共通に理解される同一の意味を有している。また、本明細書において述べられている、全ての刊行物、特許出願、特許、およびその他の参考文献は参照により本明細書に組み入れられている。
【００２０】
皮膚治療システム
本明細書において記載されている本発明の実施形態は機械的なエネルギーを用いる皮膚の治療に関連している。一般に、機械的なエネルギーは、皮膚に対して機械的なエネルギーを送達するための装置と、治療される皮膚の診断の評価を行なうために使用できる随意的な診断の補助システム、を用いて皮膚に供給できる。この装置は一般に、（１）機械的なエネルギーを供給するためのユーザー出力システムと、（２）情報を処理して、ユーザー出力システムに命令を与えるための随意的なコントローラと、（３）特定の形態のデータを受容してコントローラにそのデータを供給するための随意的な受容要素と、（４）コントローラに付加的なデータを供給するための随意的な検出部と、（５）ユーザー出力システムにエネルギーを供給するための随意的なエネルギー貯蔵要素と、を含んでいる。この皮膚治療システムにおいて存在している上記の要素（１）〜（５）は、不可欠ではないが、単一で、一体の、手持型ユニットの中に収容されていることが望ましい。上記のユーザー出力システムは一般に、（１）皮膚に機械的なエネルギーを伝達および送達するための機械送達補助組立体と、（２）皮膚に種々の流体の組成物を送達するための随意的な薬品送達補助組立体と、を含んでいる。
【００２１】
図１は被験体（例えば、人間のような哺乳類動物の被験体）の皮膚１０２の一定の広がりの部分を治療するための装置１００を示している。この皮膚１０２の一定の広がりの部分は顔面に制限されてもよく、あるいは、例えば、他の体の場所の内で、脚、腕、臀部、首、背中、つめ、等のような、一つ以上の体の他の領域を含んでいてもよい。なお、「治療」とは、以下の有益な効果（種々の生化学的および／または機械的なメカニズムによる治療または予防を通して）、すなわち、さらに若い、健康な、輝いた皮膚、なめらかでしみの無い組織の状態および／または構造、等のような皮膚の若返りの効果、しわや小じわ、表面の粗さ、くぼみやたるみ、表面の血管、しみ／色素沈着、赤み、アクネやその他の発生源による瘢痕、および毛穴の大きさ、等のような概観の特徴の除去や減少、セルライトや体脂肪の除去／減少、等のような体型の造りなおしの効果、アクネの障害および／またはこれに付随する痛みの治療／減少、毛髪の成長の刺激、および毛髪の成長の遅延または除去、の効果の一つ以上が、被験者に与えられること、を意味する。
【００２２】
上記の装置１００はユーザー出力組立体１０４を含み、このユーザー出力組立体１０４の機能は被験体の皮膚１０２の一定の広がりの部分に、機械的なエネルギーを送達して種々の薬剤を随意的に送達することである。なお、「薬剤(agents)」とは、以下において、「有益な薬剤(BENEFIT AGEENTS)」と題名が付けられている部分と、「装置向上剤(APPRATUS-ENHANCING AGENTS)」と題名が付けられている部分に関連して、本明細書において、それぞれ、記載されているような「有益な薬剤(benefit agents)」または「装置向上剤(appratus-enhancing agents)」のいずれかを意味する。ユーザー出力組立体１０４は機械エネルギー送達補助組立体１１２を含み、この機械エネルギー送達補助組立体１１２は、エネルギー貯蔵要素１３５から、貯蔵されているエネルギーを変換するためのモータ１３０と、このモータ１３０から皮膚接触可能な表面１０６にエネルギーを伝達するための伝達部材１２５と、を含んでいる。ユーザー出力組立体１０４はまた、皮膚１０２の一定の広がりの部分に対して、種々の物質を含有できる流体を送達する等のための、薬品送達補助組立体１８０も含んでいてもよい。さらに、ユーザー出力組立体１０４は、オペレータに対する視覚、聴覚または触覚の刺激等により、装置１００と当該装置１００の少なくとも一人のオペレータとの間の連通を容易にするために、インジケータ２４５も含んでいてもよい。なお、装置１００が被験体により単独で操作可能であってもよく、この場合に、オペレータと被験体は同一であることに、注意されたい。あるいは、被験体に対して皮膚治療の有益な効果を与えるために、一人以上の別々のオペレータ（例えば、医者、技術者等）が装置１００を操作してもよい。なお、用語の「使用者（ユーザー）(user)」は、本明細書においては、被験体またはオペレータのいずれかまたは両方、を意味することに注意されたい。
【００２３】
装置１００は一般に、オペレータが当該装置１００をオン／オフすることを可能にする１個以上のボタンまたはスイッチ等のような、入力装置２６０、を含んでおり、さらに、皮膚接触可能な表面１０６の動きの制御をカスタマイズすることも可能である。この装置はまた、ユーザー出力組立体１０４に命令を与えるためのコントローラ２４０も含んでいてよい。
【００２４】
本発明の一例の実施形態において、装置１００はさらに、コントローラ２４０に連結されている受容要素２５５、を含んでいる。この受容要素２５５は、ユーザー属性データ（例えば、身長、体重、年齢、および／または肥満度指数(体型指数)）等のような、データを受け取ることができる。本発明の別の実施形態において、装置１００は、皮膚接触可能な表面１０６に連結されている検出部２７０、を含んでいる。この検出部２７０は、皮膚に付随している１種類以上の特性の少なくとも一つの状態を感知できる。この検出部２７０は、例えば、コントローラ２４０に電気的に連結されている。このコントローラ２４０はユーザー出力組立体１０４に動作の命令を与えることができ、これらの命令は検出部２４０により感知された１種類以上の特性に基いている。
【００２５】
エネルギーは、例えば、モータ１３０に連結されていて電源接地装置１４５により接地されている、図１において示されている、エネルギー貯蔵要素１３５（例えば、電池等のような直流電源）を用いて、モータ１３０に供給できる。あるいは、モータ１３０は、交流電源（例えば、１１０または２２０ボルトの壁面コンセント・ソケット）等のような、装置１００の外部にある電源に連結されてもよい。
【００２６】
装置１００は皮膚を治療するためのシステム１の一部であってもよい。本発明のこの実施形態において、システム１は、装置１００と、（例えば、皮膚の血液成分や間質液を測定することによるか、皮膚の表面を画像化することによるか、皮膚の紫外線反射率を測定することによって）皮膚１０２の種々の状況または状態を診断するための診断補助システム１０７を含んでいる。
【００２７】
機械エネルギー送達補助組立体
装置１００のユーザー出力組立体１０４は一般に、被験体の皮膚１０２の一定の広がりの部分に機械的なエネルギーを供給するために、図２Ａ〜図２Ｂにおいて示されている実施例である、機械エネルギー送達補助組立体１１２、を含んでいる。図２Ａおよび図２Ｂは、モータ１３０に供給される電気的なエネルギーを、伝達部材１２５を作動させるための機械的なエネルギーに変換するためのモータ１３０、を含んでいる例示的な機械エネルギー送達補助組立体１１２の、それぞれ、上面図および側面図である。伝達部材１２５は、本発明のこの実施形態において、モータ１３０に連結されていて、これにより回転する駆動軸１３２、を含んでいる。伝達部材１２５はさらに、モータから皮膚接触可能な表面１０６に動作を伝達するための別の機械的な要素も含んでいてよい（図２Ａ〜図２Ｂにおける矢印は、皮膚接触可能な表面１０６に与えることのできる前後または「往復動式(reciprocating)」の動作の一例、を示している）。例えば、本発明のこの実施形態において、伝達部材１２５はさらに、ドライバー・ベベル・ギア(driver bevel gear)１３６およびカム・ベベル・ギア(cam bevel gear)１３８を介して駆動軸１３２に連結されているスロット付きカム・アーム１２３、を含んでいる。
【００２８】
装置１００は、当該装置１００の種々の部品（例えば、モータ１３０、伝達部材１２５等）を収容している外殻部１１５（図２Ａおよび図２Ｂにおいて仮想線で示されている）の中に、完全にまたは部分的に、入れるか包むことができる。この外殻部１１５は一般に、上記の部品を環境の影響から保護して、装置１００の携帯性を助長するためのものである。この外殻部１１５により定められる形状はさまざまであるが、このように定められる形状は、一般に、皮膚接触可能な表面１０６が皮膚１０２の一定の広がりの部分に接触して配置できるように、装置１００が使用者により容易に把持されるようになっている。この装置１００は、例えば、ハンドル１２２を含む概ね線形の本体領域１１８、を含んでいてもよい。また、この装置１００は、皮膚接触可能な表面１０６（図２Ｂにおいて示されている）を含むヘッド領域１２４を含むこともできる。図１において、機械的なエネルギー送達補助組立体１１２は、摩擦を減少させるための、ブッシュ１２０等のような、種々の機械的な部品も含んでいてよく、これにより、この装置が、皮膚接触可能な表面１０６にエネルギー貯蔵要素１３５により供給される高い割合の電力を送達すること、を可能にしている。
【００２９】
図２Ａおよび図２Ｂにおいて、本体領域１２８およびヘッド領域１２４は連結領域１２６により連結することができ、この連結領域１２６は、装置１００を把持するためと、皮膚１０２の一定の広がりの部分に対して皮膚接触可能な表面１０６を置いて、その皮膚１０２の広がりの部分を横切って装置１００を移動させるための、使用者の能力の両方を高めるように、角度を付けることができる。
【００３０】
皮膚接触用の表面
皮膚接触可能な表面１０６は、例えば、伝達部材１２５に連結されている皮膚接触可能な要素１０５の一定の表面（例えば、外表面部）であってもよく、皮膚１０２の一定の広がりに対する接触を容易にするように形づくることができる。一方、皮膚接触可能な要素１０５は、例えば、一体のモジュールまたはカートリッジ等のように、取り外し可能、交換可能または取付／分離可能にすることができる。この皮膚接触可能な要素１０５は、使用中にその皮膚接触可能な要素１０５に接触する可能性のある薬品や組成物に対して、高度なおよび／または予測可能な抵抗を有していてもよい。さらに、この皮膚接触可能な要素１０５は高度なおよび／または予測可能な機械的な耐久性も有していてよい。この皮膚接触可能な要素１０５の分離可能性は、当該要素１０５が新しい未使用の皮膚接触可能な要素１０５に交換できるように、その要素１０５が古くなるか、すりへるか、微生物学的に汚染されるか使い尽くされる時に、その皮膚接触可能な要素１０５の除去を容易にする。この要素１０５は、例えば、１回の使用の後に、捨ててもよい。
【００３１】
図３Ａは、皮膚接触可能な要素１０５が伝達部材１２５（伝達部材１２５は図１において示されている）に付随して配置されるパッドである、本発明の一例の実施形態を示している。この皮膚接触可能な要素１０５は、当該皮膚接触可能な要素１０５を受容するためのヘッド領域１２４の中の凹部１２７に対して、嵌め合わせることができる。また、この皮膚接触可能な要素１０５は、当該皮膚接触可能な要素１０５を装置の動作中に嵌め合わせ用の表面１３３に対して一次的に固定するために、その装置の嵌め合わせ用の表面１３３に接触するための固定用の表面１０９を含んでいてもよい。この固定用の表面１０９は種々の機構により嵌め合わせ用の表面１３３に嵌め合わせることができ、これらの機構の内の一つが図３Ａにおいて示されている。この皮膚接触可能な要素１０５の固定を容易にするために、固定用の表面１０９および／または嵌め合わせ用の表面１３３はわずかに柔軟であってよいが、必要とされる時に皮膚接触可能な要素１０５の交換を容易にするために、（１）各表面１０９と１３３との容易な嵌み合わせ、（２）動作中のしっかりとした固定、ならびに（３）容易な剥離性、を可能にするように弾性である。
【００３２】
あるいは、この皮膚接触可能な要素１０５は、クランプ、スナップ、接着剤等のような、多数の適当な機械的または磁気的な部品（図示されていない）、さらに、当該皮膚接触可能な要素１０５の取付性および分離性を助長するために使用可能である類似物により、装置１００の動作中にその位置を保持することができる。
【００３３】
上記の皮膚接触可能な要素１０５の皮膚接触可能な表面１０６は、この皮膚接触可能な表面１０６と皮膚１０２の一定の広がりの部分との間のインターフェース１５０（図１を参照されたい）が皮膚１０２の一定の広がり部分の中に、最小限の損失で、エネルギーを伝達するために、十分な摩擦を有するように、設計できる。
【００３４】
図３Ｂは、皮膚接触可能な要素１０５が、多孔質シート１０８（例えば、装置１００から容易に分離可能である自立形シート）等のような、多孔質材料であるかこの材料を含む、本発明の別の実施形態を示している。これらの孔は、皮膚接触可能な要素１０５の中から、当該皮膚接触可能な要素１０５の皮膚接触可能な表面１０６に対して、液体（例えば、「有益な薬剤」と題する部分において以下に定められているような、「有益な薬剤」であるかこれを含有している）、を輸送可能にすることできる。上記のシート１０８は繊維質またはフィルムを基材とすることができる（例えば、これらの材料の１個以上の層等のような、繊維質および／またはプラスチック・フィルムの材料を含むことができる）。これらの材料の層は比較的に剛性であるか比較的に弾力性であってもよく、とりわけ、インターフェース１５０における摩擦の向上、皮脂の皮膚からの輸送、種々の薬剤が皮膚に対していくらか有益になるような皮膚に向けての種々の薬剤の輸送、等のような、１種類以上の機能を与えることができる。
【００３５】
使用可能である適当な繊維材料は、例えば、ポリエステル、ポリオレフィン、レーヨン、木材パルプ等からのセルロース、複合繊維、亜鉛、銀、または銅等のような抗菌剤により被覆されている繊維（例えば、ペンシルバニア州、クラークス・サミットのノーブル・ファイバー・テクノロジーズ（Noble Fiber Technologies）から市場において入手可能である銀被覆型ポリマー繊維）、等のような有機ポリマーを基材としている材料、およびこれらの他の組み合わせ物、を含む。これらの繊維は織り状または不織状であり、例えば、カーディング処理により、網状構造に配列されていて、例えば、エア−スルー結合、化学結合、またはエンボシング処理により、結合されている。また、この繊維材料の層は、この材料の機械的なまたは液体の管理特性を操作するために、有機樹脂またはその他の成分等のような結合剤、を含んでいてもよい。また、上記の繊維材料の層は、皮膚接触可能な要素１０５の１種類以上の用途に対応して、その機械的な構造の完全性を維持するために、その層を支持する一定の坪量を有することができる。この坪量は、例えば、約１０グラム／平方メートル（ｇｓｍ）〜約１００ｇｓｍ、さらに約４０ｇｓｍ〜約６０ｇｓｍ、であってよい。
【００３６】
上記の繊維材料の層は、上記のシートが皮膚１０２の一定の広がりの部分を横切って容易に滑ることを助長する程度に軟質でない繊維、を含むことができる。例えば、この繊維は、コンフォーマル・ポリマーの被膜あるいはカチオン性またはその他の界面活性剤の被膜等のような、軟質化用またはコンディショニング用の添加物を全く含んでいなくてもよい。本発明の一例の実施形態において、上記の繊維は、約１デニール／繊維（ｄｐｆ）〜約３０ｄｐｆのデニール値、を有している。約３ｄｐｆ〜約６ｄｐｆのデニール値はインターフェース１５０における摩擦を高めるために適する可能性がある。上記の繊維材料の層は厚くて弾力性があってよい（繊維の間に相当量の「けば」または空間スペースを有している）。これらの層は使用者に対して快適感を高め、さらに／または、皮膚１０２の一定の広がりの部分に対する容易な接触を助長する。
【００３７】
上記のシート１０８において使用できる適当なプラスチック・フィルムは、ポリエチレン、ポリプロピレンまたは類似の材料から成るフィルム等のような、孔あきの熱可塑性フィルム、を含む。この孔あきフィルムは、インターフェース１５０における摩擦を高めること、薬剤の移動を管理すること、またはこれ以外に、適当な皮膚接触可能な表面１０６を作るために、設計されていてもよい。さらに、この孔あきの熱可塑性フィルムの厚さは、孔をあける前に、約０．５ｍｍ〜約１ｍｍの範囲内であってよい。これらの孔は、皮膚１０２の一定の広がりの部分に向けて、あるいは、これから遠ざけるように、配向できる。本発明の一例の実施形態において、上記の熱可塑性の孔あきフィルムは０．０４グラム／ｃｍ3 （ｇ／ｃｃ）〜約０．１２ｇ／ｃｃの範囲内の比重を有している。これらの孔は約１０個の孔／ｃｍ2 〜約１００個の孔／ｃｍ2 の密度で存在していてよい。
【００３８】
上記の多孔質シート１０８は多数の方法により伝達部材１２５（図３Ｂにおいて仮想線で示されている）に固定できるが、この固定の方法は一般に、装置１００の動作中にシート１０８にひだが付くことやシート１０８が折れることを最小限にするか無くすように、選択される。図３Ｂは一例の適当な方法を示しており、この方法において、シート１０８は、当該シート１０８を嵌め合わせ用の表面１３３に対して押し動かして、そのシート１０８に対してフレーム１２９を配置し、さらに、そのシート１０８を装置１００のヘッド領域１０４に固定するために機械的なファスナ１３１（例えば、シート１０８の上に摺動できるか、これを締め付けるか、その中に突き通すことができる、ねじ、クランプ、クリップ、留め金等）を用いることにより、伝達部材１２５に連結される。なお、フレーム１２９は皮膚１０２の一定の広がりの部分を挟むか切断することを防ぐために、そのエッジ部分１９０が概して鋭くならないように選択された形状、を有している（例えば、エッジ部分１９０は嵌め合わせ用の表面１３３に向かって下方にベベル状になっているか傾斜していてもよい）。また、このフレーム１２９は浸食に対して耐性である材料により形成することができ、この浸食は、これ以外の場合であると、装置１００と共に用いられる種々の流体に曝されることにより生じる可能性がある。
【００３９】
図３Ｂにおいて示されている嵌め合わせ用の表面１３３は上記のシートを伝達部材１２５に固定するためのただ一つの一般的な例として役目を果たしている。あるいは、または、さらに、シート１０８を固定および分離するか、シート１０８が使用中にひだが付くか折れることを防ぐために、別の方法も使用できる。例えば、マイクロ・フック、接着剤等をこの目的のために使用してもよい。
【００４０】
皮膚接触可能な表面の作動
図１〜図４において、伝達部材１２５はモータ１３０から皮膚接触可能な表面１０６に機械エネルギーを伝達する。この皮膚接触可能な表面１０６は、これにより、皮膚１０２にエネルギーを与えるために、周期的な様式で、作動するように促すことができるようになる。この「周期的(periodic)」とは、皮膚接触可能な表面１０６が、約１サイクル／秒よりも大きな頻度で、一定のまたは不規則な方向に、周期的に移動することを意味する。モータ１３０は、伝達部材１２５が一つ以上の方向に移動するように、モータ１３０に連結されている伝達部材１２５に周期的な動作を与えることのできる従来のモータとすることができる。例えば、この伝達部材１２５は、皮膚接触可能な表面１０６の動作が本質的に平面状になるように、すなわち、皮膚接触可能な表面１０６の動作が皮膚１０２の一定の広がりの部分に対して本質的に平行になることに適合するように、移動できる。このことは、例えば、皮膚接触可能な表面１０６を往復動式の動作を伴って移動させることにより（すなわち、この皮膚接触可能な表面が、本質的に直線状または湾曲状の部分だけの経路を、繰り返して引き返し、これらの例が、動作の適当な経路の例を示している矢印４０１，４０３，４０５をそれぞれ伴って、図４Ａ〜図４Ｂにおいて示されている）、達成できる。
【００４１】
本発明の別の実施形態において、上記の皮膚接触可能な表面１０６は軌道を描く動作を伴って移動する。この「軌道を描く動作(orbital motion)」とは、皮膚接触可能な表面１０６が開いている一定の経路（例えば、楕円形、円形、多角形、星形、または多数セグメント形）を移動することを意味しており、これらの一例が、動作の例示的な経路を示している矢印４０７を伴って、図４Ｃにおいて示されている。
【００４２】
図４Ｄにおいて示されているような本発明の別の実施形態において、皮膚接触可能な表面１０６は中心軸１９２の回りの純正の回転動作を生じることに適合している（この軸１９２は図４Ｄにおいて仮想線で示されており、紙面の平面に対して垂直であり、矢印４０９は紙面の平面内における例示的な回転を示している）。
【００４３】
図４Ｅ〜図４Ｆ（側面図）において示されているように、本発明の別の実施形態において、皮膚接触可能な表面１０６は、皮膚１０２の一定の広がりの部分に対して「軽くたたく(tapping)」か「強くたたく(thumping)」動作を生じるために、矢印４１０により示されているように、皮膚１０２の一定の広がりの部分に対して実質的に垂直（perpendicular）に（例えば、実質的に直角（normal to）に）、周期的な様式で、移動することに適合している。図４Ｆは、複数の独立している補助表面１９４を含む皮膚接触可能な表面１０６、を示している。本発明のこの実施形態において、独立した表面１９４はそれぞれ、皮膚１０２の一定の広がりの部分に対して垂直な独立した動作を行なう。これらの独立した表面１９４は、皮膚１０２の一定の広がりの部分の曲率と、これらの独立した表面１９４がその皮膚１０２の一定の広がりの部分の上に配置されている位置とに応じて、時々、圧縮できる、例えば、ばね、を介して通常において延出している、例えば、「フィンガー(fingers)」、とすることができる。あるいは、上記の補助表面１９４は同時にまたは連続的に軽くたたくようにモータ駆動されてもよい。
【００４４】
モータ１３０は、図４Ａ〜図４Ｆにおいて示されている動作のいずれか一つ、またはこれらの動作の形態の幾つかの組み合わせ（例えば、往復動、回転動作、軌道を描く動作、軽くたたく動作、およびこれらの組み合わせ）、を行なうように最適化できる。このような動作の形態の種々の組み合わせは、例えば、皮膚１０２の一定の広がりの部分を引き伸ばすこと、マッサージすること、もむこと、あるいは、これ以外の方法で刺激することにより、その皮膚１０２の一定の広がりの部分に有益な効果を与えるために、特に有利になる可能性がある。このことは、その皮膚１０２の一定の広がりの部分に最も近い組織の中の血液やリンパ液の高められた循環を助長するために、特に有用になる可能性がある。したがって、皮膚の若返りの効果を含むがこれに限定されない、種々の有益な効果が結果として生じる可能性がある。
【００４５】
皮膚接触可能な表面１０６は、約１５００サイクル／分〜約５，０００サイクル／分の範囲内である頻度を有している周期的な動作を伴って、移動することに適合できる。この皮膚接触可能な表面１０６は、約０．５ミリメートル（ｍｍ）〜約１０ｍｍ、例えば約１ｍｍ〜約５ｍｍ、さらに約２ｍｍ〜約３ｍｍ等の範囲内の振幅（すなわち、その皮膚接触可能な表面１０６の任意の箇所がその周期的な動作のサイクルの過程の間に移動する最大の直線距離）を伴って、移動できる。
【００４６】
なお、機械エネルギー送達補助組立体１１２は皮膚接触可能な表面１０６に周期的な動作を与えるものとして上記において説明されているが、その代わりに、この機械エネルギー送達補助組立体１１２は、必ずしも周期的でない機械エネルギーを与えるように設計されていてもよい。例えば、機械エネルギー送達補助組立体１１２は、皮膚接触可能な表面１０６に真空を伝達すること等により、皮膚１０２の一定の広がりの部分を「吸引する」ように設計されていてもよい（例えば、本発明のこのような実施形態においては、皮膚接触可能な表面１０６は環状の形状を有していてもよい）。また、本発明の別の実施形態において、機械エネルギー送達補助組立体１１２は、皮膚にエネルギーを与えるために、皮膚をもむか、引っ張るか、はさむか、皮膚の上をすべるように、設計されているローラーまたはその他の装置を含むことができる。皮膚に対してこれらの別の形態のエネルギーの内の一つ以上を与えるために使用できる例示的な装置が米国特許第６，０１７，３２０号および欧州特許第１，０４５，６８５Ｂ１号において記載されている。
【００４７】
ばらばらの関係で移動する補助表面
図５Ａおよび図５Ｂは機械エネルギー送達補助組立体１１２の別の実施形態の上面図をそれぞれ示しており、この場合に、皮膚接触可能な表面１０６は第１の補助表面５０２および第２の補助表面５０４を含んでいる。この第２の補助表面５０４は第１の補助表面５０２に対してばらばらの関係で移動することに適合している。この「ばらばらの関係(disjoint relationship)」とは、第１の補助表面５０２および第２の補助表面５０４がそれぞれ周期的に移動して同じ種類の動作（振動、回転動作、軌道を描く動作、軽くたたく動作）を分け合うが、反対の方向（例えば、後方に対して反対の方向としての前方または反時計方向に対して反対の方向としての時計方向）に移動可能であることを意味する。換言すれば、第１の補助表面５０２が一方向に移動している時に、第２の補助表面５０４は反対の方向に移動できる。
【００４８】
図５Ａ〜図５Ｂにおいて描かれている、本発明の一例の例示的な実施形態によれば、モータ１３０は駆動軸１３２に回転可能に連結されている。さらに、駆動軸１３２はスライド・トゥース・バレル・カム(slide tooth barrel cam)５１１に連結されており、このスライド・トゥース・バレル・カム５１１はさらに、ばね５１３により一緒に押し動かされる歯５１７の係合用の組を介して、固定されたトゥース・クラッチ・バレル・カム(fixed tooth clutch barrel cam)５１５に連結されている。
【００４９】
上記の固定されたトゥース・クラッチ・バレル・カム５１５は軸１３２からの回転移動を、例えば、第１の駆動アーム５２１に与えられる往復動式の線形動作に変える。このような回転移動の変化は、例えば、カム５１５を制限する第１の傾斜した溝５２３に整合した状態に第１の駆動アーム５２１の一端部を固定することにより、達成できる。この第１の駆動アーム５２１は、第１の補助表面５０２に連結されていて、この第１の補助表面５０２に第１の周期的な動作を与える。
【００５０】
同様に、上記のスライド・トゥース・バレル・カム５１１は軸１３２からの回転動作を、第２の駆動アーム５２５に与えられる往復動式の線形動作に変える。この回転動作の変化は、カム５１１を制限する第２の傾斜した溝５２７に整合した状態に第２の駆動アーム５２５の一端部を固定することにより、達成できる。この第２の駆動アーム５２５は、第２の補助表面５０４に連結されていて、この第２の補助表面５０４に第２の周期的な動作を与える。
【００５１】
なお、上記の第１の補助表面５０２および第２の補助表面５０４は同一または類似の振幅を有する周期的な動作を伴って移動できるが、このことは必ずしも必要とされない。さらに、例えば、ばね５１３を圧縮するためにピン５３１の位置を調節して歯５１７をはずすことにより、第１の補助表面５０２の第１の周期的な動作と第２の補助表面５０４の第２の周期的な動作との間に、可変の位相差を与えてもよい。すなわち、歯５１７がはずれると、カム５１１および５１５は互いに対して回転可能になり、その後、歯５１７に再び係合する。このような調節の後に、第１の駆動アーム５２１および第２の駆動アーム５２５の相対的な位置は、これにより、駆動アーム５２１，５２５の動作の間におけるゼロでない位相差が軸１３２に対して動作を与える時に達成されるように、設定される。
【００５２】
本発明の一例の実施形態において、上記の動作は約１８０度だけ位相がずれるように設定される（すなわち、第１の補助表面５０２および第２の補助表面５０４の速度は本質的に、任意の特定の瞬間において、決して同じ方向にはならない）。この位相差は、皮膚１０２の一定の広がりの部分の外表面部の近くに集中しているその皮膚１０２の一定の広がりの部分（すなわち、皮膚接触可能な表面１０６に最も近い皮膚１０２の広がりの部分）にエネルギーを送達するために、適することができる。本発明の別の実施形態において、上記の動作は、実質的に「同相」になるように設定される（すなわち、第１の補助表面５０２および第２の補助表面５０４の動作は約０度だけ位相がずれている）。このような設定は皮膚１０２の一定の広がりの部分の中に比較的に深く集中しているその皮膚１０２の一定の広がりの部分（例えば、真皮の比較的に深い層）にエネルギーを送達するために適することができる。もちろん、上記の動作は、（１）エネルギーが送達される皮膚１０２の一定の広がりの部分の中の深さ、または（２）皮膚１０２の一定の広がりの部分に与える引き伸ばしまたはねじれの動作の程度、を「調整する」か、カスタマイズするために、０度〜１８０度の間のいずれに設定してもよい。
【００５３】
図５Ａおよび図５Ｂにおいて示されている線形の動作は、第１の補助表面５０２および第２の補助表面５０４がばらばらの関係で移動できる一例の方法、を表しているが、ばらばらの関係を有するものとして特徴付けられる別の動作も考えられる。例えば、第１の補助表面５０２および第２の補助表面５０４は回転の異なる軸の回りに回転してもよく、この場合に、これらの第１の補助表面５０２および第２の補助表面５０４の回転の方向は反対であり、それゆえ、ばらばらになる。本発明の別の実施形態において、図４Ｆにおいて示されている個々の表面１９４は、互いに対してばらばらの関係で、軽くたたくようにモータ駆動型であってもよい。
【００５４】
皮膚接触可能な表面および摩擦の向上
本発明の一例の実施形態において、皮膚接触可能な表面１０６は、摩擦作用が高められているインターフェース１５０（図１において示されているようなもの）に沿って皮膚１０２の一定の広がりの部分に連結することに適合している。このような様式においては、皮膚の一定の広がりの部分に送達されるエネルギーの量は倍加される。なお、このインターフェース１５０の摩擦の向上は種々の様式を通して達成できる。
【００５５】
図６Ａにおいて示されているように、本発明の一例の実施形態において、皮膚接触可能な表面１０６は、主面部６０５から突出している高められた非切断性の領域６０３、を含んでいる。これらの高められた非切断性の領域６０３は一般に、図６Ａにおいて示されているような主面部６０５に、少なくとも部分的に固定されている。この「少なくとも部分的に固定されている(at least partially affixed)」とは、高められた非切断性の領域６０３が永久的に固定されているか、あるいは、これらの粒子６０３が主面部６０５から容易に放出可能であるような様式で固定されていることを意味する。主面部６０５は皮膚１０２の一定の広がりの部分（図１において示されている）に対する接触を容易にするように形を合わせることができる。この皮膚接触可能な表面１０６の主面部６０５は図６Ａ〜図６Ｆにおいて示されているような弓形や凹状であってもよく、あるいは、この皮膚接触可能な表面１０６は平面状または凸状であってもよい。
【００５６】
上記の高められた非切断性の領域６０３は、主面部６０５が被験者の皮膚１０２の一定の広がりの部分に容易に接触しないような程度まで、主面６０５から突出できる。あるいは、これらの高められた非切断性の領域６０３は、主面部６０５が被験者の皮膚１０２に接触できるように、わずかだけ、主面部６０５から、これらの領域６０３が突出するように、比較的に小さくてもよい（それゆえ、皮膚接触可能な表面１０６の一部になっている）。また、このような高められた非切断性の領域６０３は、従来の磨耗性で剥離性の粒子（粉にしたクルミの殻、粉にしたアンズの殻、粉にした無機物の粒子等）のように鋭くて角があるのではなく、湾曲状で平滑であってもよい。このような平滑で湾曲状の、さらに／または、非切断性の、さらに／または、研磨された、摩擦向上用の粒子６０３はインターフェース１５０における摩擦を高めることができるが、皮膚１０２は、これらの高められた非切断性の領域６０３による、微小な切断、すり傷または不要の剥離作用、を受け難い。さらに、これらの高められた非切断性の領域６０３は表面からの死んだ皮膚の細胞の除去を促進させるが、付着した、生きている表面の損傷は軽減される、と考えられている。
【００５７】
上記の高められた非切断性の領域６０３に含むことのできる適当な非切断性の粒子の一例は、例えば、シリカを基材とする粒子等のような、研磨されたガラスの粒子である。これらの粒子は、約１００ミクロンよりも小さく、例えば、約２５ミクロン〜約１００ミクロンである、粒度を有していてよい。これらの粒子は、主面部６０５を有するプラスチックまたは弾性の支持体にエポキシまたはその他の接着剤を供給してから、その接着剤を完全に硬化させて、接着剤を非粘着性にする等による、種々の手段により、主面部６０５に付着させることができる。これにより、これらの粒子は、硬化した接着剤により、主面部６０５に取り付けられる。あるいは、本発明の別の実施形態において、上記の粒子は、溶融状態まで加熱した造形された熱可塑性樹脂の上に配置できる。この熱可塑性樹脂が冷却すると、これらの粒子は固定されて留まり、その熱可塑性樹脂により定められている主面部６０５から突出する。
【００５８】
皮膚接触可能な要素１０５は、この皮膚接触要素を、装置１００（図１を参照されたい）の動作中に、嵌め合わせ用の表面１３３に一次的に固定するために、その装置１００の嵌め合わせ用の表面１３３に接触するための少なくとも１個の固定用の表面１０９、を含んでいてよい。この固定用の表面１０９は皮膚接触可能な表面１０６を制限することができ、この皮膚接触可能な表面１０６から延出して、皮膚接触可能な要素１０５の回りにリムを形成している。これにより、上記の固定用の表面１０９は、嵌め合わせ用の表面１３３の中かこれに対してスナップ嵌めするか、これ以外の様式で嵌め合うために有用な、例えば、中空の（図示されていない）真下の皮膚接触可能な表面１０６を定めることができる（この嵌め合わせ用の表面１３３の例が図３Ａ〜図３Ｂにおいて示されている）。
【００５９】
図６Ａは、高められた非切断性の領域６０３を、細かな粒子として、示しているが、これらの高められた非切断性の領域６０３は異なる形状および寸法を有していてよい。本発明の皮膚接触可能な要素１０５の別の実施形態は、図６Ｂ〜図６Ｅにおいて示されているように、摩擦を高め、さらに／または、インターフェース１５０における流体の移動を管理するために有用な高められた領域、を含んでいる。また、皮膚接触可能な要素１０５は主面部６０５から突出していて一定のパタンに配列されている高められた領域６３１を含んでいてもよい。これらのパタンの例は、とりわけ、図６Ｂ〜図６Ｃにおいて示されているような分離されて高められている長方形の領域６３１や、例えば、図６Ｄにおいて示されているような複数の六角形の凹部を定めている、相互連結している高められた長方形の領域、さらに、図６Ｅにおいて示されているような高められた円形の領域等、を含む。主面部６０５と隣接の高められた領域６３１との間の、図６Ｅにおいて示されているような高さの差６１１は、インターフェース１５０における摩擦を助長するためと、インターフェース１５０における流体またはその他の組成物の移動を助長するために、十分に大きくすることができる。例えば、この高さの差６１１は約０．２５ｍｍ〜約１ｃｍにすることができる。
【００６０】
図６Ａは、皮膚接触可能な要素１０５の中に含むことのできる付加的な特徴、すなわち、ポート６０６、を示しており、このポート６０６は、装置１００の中から、送達システム１８０を介して、当該ポート６０６を通して、皮膚接触可能な表面１０６に流体の組成物（例えば、これらの組成物は、１種類以上の薬剤であるか、これらの薬剤を含む）を供給するために有用である。なお、１個の中央のポート６０６が示されているが、種々の間隔のパタンを有する複数のポート６０６も考えられている。
【００６１】
種々の材料が皮膚接触可能な要素１０５のために選択できる。上記の主面部を形成する材料は、例えば、熱可塑性エラストマー（例えば、ポリウレタン、ポリオレフィン、ポリアミド、またはこれらの組み合わせ物）または熱硬化性樹脂（例えば、ポリエステル、ポリウレタン）等を含む、エラストマー等のような高分子材料、を含むことができる。また、主面部６０５は堅い表面にすることができ（例えば、約２０よりも大きなショア硬度を有しており、さらに／または、発泡材料中に存在しているような閉じ込められた空気が実質的に無い、限られた圧縮性を有している）、これにより、装置１００から皮膚１０２の一定の広がりの部分への機械的エネルギーの伝達を容易にしている。
【００６２】
上記の高められた領域６３１は実質的に同一である組成物を有することができ（例えば、高められた領域６３１および主面部６０５は共に熱可塑性エラストマーを基材としている）、あるいは、主面部６０５の組成物とは実質的に異なっている組成物を有することもできる（例えば、熱硬化性樹脂を基材とする主面部の上におけるガラス粒子の高められた領域）。
【００６３】
図６Ａ〜図６Ｅに基いて上記において説明されている皮膚接触可能な表面１０６に形成されている種々のパタンは、キャスティング、押出成形、射出成形、選択的エッチング、スタンピング、エンボシング、およびこれらの組み合わせ、等のような、種々の方法により形成できる。
【００６４】
皮膚接触可能な表面１０６を通して装置１００により送達できる出力密度を向上させるために、主面部６０５は、約２０平方センチメートル、例えば、約１５ｃｍ2 よりも小さい、さらに、１０ｃｍ2 よりも小さい、突出した領域（すなわち、一定の平面から突出している状態の主面の領域）、を有することができる。
【００６５】
装置向上剤
以下において、「装置向上剤」と呼ばれている、種々の組成物は、装置１００と共に用いる場合に、現れるいくつかの機能を実行するために、使用してもよい。したがって、この装置向上剤は装置１００により供給される有益な効果を高める（図１を参照されたい）。装置向上剤の一例は伝達用の組成物である。本発明の一例の実施形態において、摩擦の向上は、インターフェース１５０に伝達用の組成物を供給することにより、このインターフェース１５０に与えられる。十分な摩擦の向上は、（１）皮膚接触可能な表面１０６に伝達されるエネルギーの量を高めるためと、さらに／または、（２）皮膚１０２の一定の広がりの部分に送達される剥離作用の量を高めるために、供給できる。上記の伝達用の組成物は一般に、液体の相、ゲルの相、半固体の相、またはこれらの相の組み合わせ物、を含む。また、上記の伝達用の組成物は、皮膚接触可能な表面１０６から皮膚１０２へのエネルギーの伝達を向上させる粘性または粘弾性の物質にすることができる。
【００６６】
上記の伝達用の組成物は皮脂を不活性化する性質を有していてもよい。例えば、この組成物は、皮膚１０２により分泌されるか当該皮膚１０２に存在している皮脂や他の潤滑性の物質を除去するかこれらのすべりやすさを低下させる無極性溶媒（すなわち、水よりも極性が低い）等を含む、皮脂の溶剤等のような、成分を含んでいてもよい。この溶剤は揮発性であってよく（すなわち、好ましくは水よりも揮発性が高い）、約３．３３×１０3 パスカル（約２５トル）よりも低い、周囲温度における蒸気圧を有していてよい。また、上記の溶剤は、約８０℃よりも低い、標準の圧力における沸点を有していてよい。また、この溶剤は、皮膚の乾燥を促進させるために、水に対して混和性を有していてよい。例えば、この溶剤は、皮膚１０２の一定の広がりの部分に存在する可能性のある皮脂や油性の残留物を除去するために有用な溶剤の中でも、エタノール、イソプロパノール等のような、脂肪族アルコールであってよい。この溶剤は、約１０％よりも高く、あるいは、約２５％よりも実質的に高い濃度で、上記の伝達用の組成物の中に存在していてよい。このように、比較的に高い濃度の揮発性の溶剤は速やかな蒸発を助長するために特に有用であると言える。
【００６７】
上記の伝達用の組成物は、皮脂を除去することによるか（上記において特定されているような溶剤を含む等による）、その他のメカニズムにより、角質層を硬化させることができる。この角質層の硬化により、この角質層を通して機械的エネルギーを伝達するための装置１００の能力は高められる。
【００６８】
また、上記の伝達用の組成物は、例えば、アルファ−ヒドロキシ酸やベータ−ヒドロキシ酸を含む、ヒドロキシ酸等のような、角質溶解性の物質等のような、角質層を除去するかゆるめることのできる成分、を含んでいてもよい。適当なヒドロキシ酸は、とりわけ、乳酸、クエン酸、グリコール酸およびサリチル酸、を含む。角質層を除去するかゆるめることにより、下の皮膚１０２の一定の広がりの部分の層に対して機械的エネルギーをさらに速やかに伝達できる。
【００６９】
一例の実施形態において、上記の伝達用の組成物は乾燥状態にある粒子である。例えば、この伝達用の組成物は物理的に結合している水を含まず、約１％よりも低い、さらに、約０．２％よりも低い水分濃度、を有していてよい。このような適当な乾燥した粒状の組成物の一例はアスコルビン酸である。また、別の適当な乾燥した粒状の組成物は、１種類以上の有益な薬剤（適当な有益な薬剤が以下の「有益な薬剤」と題する部分において記載されている）を内部に吸収しているか埋め込んでいる多孔質のアクリル粒子（例えば、約１０ミクロン〜約２００ミクロンの、粒度を有している）等のような、多孔質で硬質の粒子、を含む。皮膚に対して有益な薬剤を送達するために使用できる適当な多孔質で硬質の粒子の一例は、商品名をマイクロスポンジ（MICROSPONGE）（商標）として、カリフォルニア州、レッドウッド・シティのAdvanced Polymer Systemsから入手可能である。
【００７０】
上記の伝達用の組成物は、界面活性剤（McCutecheon's Emulsifiers and Detergents, North American Edition等において記載されているものを含む）やその他の不揮発性の成分を実質的にまたは完全に含んでいなくてもよく、例えば、皮膚１０２の一定の広がりの部分の中に機械的エネルギーを伝達するための能力を減ずるすべりやすい残留物を残してもよい。また、上記の伝達用の組成物は、そのエネルギーを伝達するための能力を減じない他の機能的な成分を含んでいてもよい。例えば、この伝達用の組成物は、賦形剤（fillers）、鉱物、特定のポリマー、キレート化剤、香料、染料等、を含んでいてよい。また、この伝達用の組成物は、化学的な送達補助組立体１８０を用いて、手によるか、「皮膚に対する薬剤の送達」と題する部分において以下に記載されている手段により、皮膚１０２の一定の広がりの部分にその組成物を供給することにより、インターフェース１５０に供給できる。
【００７１】
上記の伝達用の組成物は、粘着性の物質、すなわち、接着性の物質あるいは、単独または組み合わせで、粘着性を示すために機能する物質、を含まなくてもよい。この伝達用の組成物から除外できる粘着性の物質の例は、粘着性化用の樹脂と組み合わされる等のような場合に、放出可能に粘着性の表面を与えるために適している分子量分布を有するモノマー、オリゴマーまたは高分子の化合物、を含む。また、上記の伝達用の組成物から粘着性の物質を除外することにより、その粘着性の物質の中に有益な薬剤が捕捉されることなく、皮膚１０２の一定の広がりの部分に対するその有益な薬剤の送達を容易にすることを可能にできる。
【００７２】
上記の除外可能なモノマー、オリゴマーまたは高分子の化合物は、溶媒中、エマルジョンまたは放射線硬化型のシロップの形態のアクリル樹脂（メタクリル酸、アクリル酸、ならびに種々のエステル官能基を有する物の１種類以上を含む）、ポリイソプレン等またはShell Chemical Company（ヒューストン、テキサス州）による熱可塑性エラストマー成分を含有しているKRATON合成ゴム基材型の接着剤等のような天然ゴムまたは合成ゴム、ポリジメチルシロキサン、ポリウレタン・エラストマー、またはその他の適当な皮膚接触用の接着剤、を含む。さらに、上記の除外可能なモノマー、オリゴマーまたは高分子の化合物は、不完全に硬化されている上記の化合物も含む。
【００７３】
さらに、除外可能な別の化合物は、天然および変性された樹脂等のような粘着性化用の樹脂、天然および変性された樹脂のグリセロールおよびペンタエリスリトールのエステル、ポリテルペン樹脂、天然テルペンのコポリマーおよびターポリマー、フェノール変性テルペン樹脂およびこれらの水素添加誘導体、脂肪族石油樹脂およびその水素添加誘導体、芳香族石油樹脂およびこれらの水素添加誘導体、および脂肪族または芳香族石油樹脂およびこれらの水素添加誘導体、およびこれらの組み合わせ物、である。
【００７４】
上記の伝達用の組成物は、皮膚１０２の一定の広がりの部分を皮膚接触可能な表面１０６に対して接触させる前に、その皮膚１０２の一定の広がりの部分に供給できる（すなわち、この伝達用の組成物は「前処理用の組成物」であると言える）。あるいは、または、さらに、上記の伝達用の組成物は、皮膚１０２の一定の広がりの部分を皮膚接触可能な表面１０６に接触させている間に、供給してもよい。
【００７５】
上記の伝達用の組成物はインターフェース１５０における摩擦作用を高める機能を与えるが、この伝達用の組成物は、あるいは、または、さらに、装置１００により治療されている皮膚１０２の一定の広がりの部分をその表面特性に関して実質的に均質にする機能を与える（例えば、この伝達用の組成物は「均質化用の組成物」でもある）。したがって、皮膚１０２の一定の広がりの部分が皮膚接触可能な表面１０６に対して接触すると、この皮膚１０２の一定の広がりの部分の全体は、角質層の下の皮膚の副層部分にエネルギーを伝達するためのその能力に関して、同様に応答する。
【００７６】
本発明の別の実施形態において、上記均質化用の組成物は皮膚１０２の一定の広がりの部分へのエネルギーの伝達を向上させず、伝達機能の無い均質化の機能のみを有している。このような均質化用の組成物は、特定の個人のいくらか無関係である皮膚１０２の一定の広がりの部分の上の表面を作るために使用でき、これにより、装置１００による皮膚の治療を使用者ごとに予測可能にする。上記の均質化用の組成物は、例えば、グリセリン、種々の湿潤化剤または軟化薬等を含有している物等のような潤滑性の組成物であってもよく、上記の伝達用の組成物と同様に、一定の様式およびタイミングで、送達できる。
【００７７】
皮膚に対する電力の出力
皮膚接触可能な表面１０６は、１種類以上の皮膚の有益な効果を与えるために十分である一定の電力の出力を、皮膚に与えることに適合できる。本発明の一例の実施形態において、この皮膚接触可能な表面は、０．２ワットよりも大きい、例えば、約０．２５ワットよりも大きい、さらに、約０．４ワットよりも大きい、電力の出力を、皮膚に与える。このような電力の出力は、比較的に早い開始を行なうことにおいて特に有益であり、さらに、エネルギーの機械的な伝達と、上記の電力の出力が供給される時に皮膚に接触している有益な薬剤の高められた性能とにより、皮膚に対してさらに大きな有益な効果（例えば、若返り）、を与える可能性がある。本発明の一例の実施形態において、上記の皮膚接触可能な表面は、１１０ワット／平方メートル（Ｗ／ｍ2 ）よりも大きい、例えば、１２５Ｗ／ｍ2 よりも大きい、さらに、２００Ｗ／ｍ2 よりも大きい、出力電力密度（皮膚接触可能な表面１０６の面積で割った皮膚に対する出力電力）を、皮膚に与える。装置１００は、使用者が、この装置１００を皮膚１０２の一定の広がりの部分に位置決めして、この装置１００をその皮膚１０２の一定の広がりの部分を横切って移動させ、この装置１００をその皮膚１０２の一定の広がりの部分の全体を治療するために十分な時間の期間にわたり保持すること、を可能にするために、軽量にできる。本発明の一例の実施形態において、上記の時間の期間は、約２５平方センチメートルの面積を有する皮膚の広がりの部分に対して、約１分よりも長く、例えば、約１分〜約５分である。
【００７８】
電力の出力の決定
上記装置の皮膚に対する電力の出力および電力密度の出力は以下の方法を用いて決定できる。例示的な試験装置７００の側面図が図７Ａにおいて示されている。この試験装置７００は、装置１００等のような、試験される装置を支持するためのスタンド７０２、を含んでいる。このスタンド７０２は一般に、支持体７５０の上に載せるための基部７０４と、この基部７０４に対して直立している垂直な立ち上がり部７０６であって、アーム７０８が延出している立ち上がり部７０６と、を含んでいる。アーム７０８は、例えば、角度７１２が調節可能になるように、立ち上がり部７０６に回転可能に取り付けられている。さらに、アーム７０８は、このアーム７０８の高さが調節可能になるように、立ち上がり部７０６に対して摺動自在の様式で連結されている。例えば、このアーム７０８は、立ち上がり部７０６の中のスロット７１０を通して配置されているねじにより、立ち上がり部７０６に取り付けることができる。
【００７９】
装置１００は、当該装置１００をしっかりと保持して安定化させるために、約８．２５センチメートル（約３．２５インチ）の長さである一対のグリップ７１４ａ，７１４ｂの間に配置されている。これらのグリップ７１４ａ，７１４ｂは一般に、試験中に装置１００が摺動またはすべりを生じないように、しっかりと装置１００を保持できる表面、を有している。また、これらのグリップ７１４ａ，７１４ｂは好ましくは、装置１００の把持、および上記の機能を行なっている人の手をシミュレーションすること、を容易にするために、弾性的な表面を有している。装置１００は、０．９５３センチメートル（０．３７５インチ）のねじ径と、６．３個のねじ山／センチメートル（１６個のねじ山／インチ）を有する２個の保持ねじ７２０ａ，７２０ｂ（スロット付きの穴の中に置かれている）を２２．３グラム−センチメートル（２オンス−インチ）のトルクまで締め付けることにより達成される等のような、クランプ力を与えることにより、グリップ７１４ａ，７１４ｂの中に保持される。
【００８０】
バランス・パンを有するはかり７４０は、グリップ７１４ａ，７１４ｂの下方において、固定スタンド７４２の面等のような、水平な面の上に配置されていて、その面にしっかりと固定されている。上面部から見た場合に実質的に円形であって約１４．０センチメートル（約５．５インチ）の直径の、試験用の皮膚７３０（以下において説明されている）は、バランス・パンの上に配置されていて、強力な両面テープ、または試験全体を通して試験用の皮膚７３０の下面部を固定するために十分に強力である他の適当な固定用の装置により、固定されている。
【００８１】
装置１００は、試験の継続中に、モータ１３０により引き出される電流をモニターするために、電圧計および電流計（これらの計器は図７において示されていない）に電気的に連結されている。
【００８２】
上記のアームの高さおよび角度７１２を調節することにより、試験される装置１００の皮膚接触可能な要素１０６は試験用の皮膚７３０の外表面部に直接に接触させられる。この場合に、皮膚接触可能な表面１０６のほぼ中心の点が試験用の皮膚７３０のほぼ中心の上に置かれる（例えば、クリーム等のような、外部の組成物は全く、皮膚接触可能な表面１０６と試験用の皮膚７３０との間に配置されない）。皮膚接触可能な表面１０６が実質的に平らであれば、その皮膚接触可能な表面１０６は、試験用の皮膚７３０に対して可能な限り平らに、実質的に置かれる必要がある。その後、皮膚接触可能な表面１０６は、はかりが、例えば、１７０グラム等のような、装置１００を保持している使用者により与えられる典型的な力をシミュレーションする通常の力を、記録する点まで、下げられる。
【００８３】
試験装置７００による皮膚への出力電力（すなわち、試験用の皮膚７３０の中には伝達可能でない電力）を決定するために、２種類の別の試験が必要とされる。第１に、図７Ｂにおいて示されているように、試験装置７００は、基準線の電流と基準線の電圧とを記録するために変更される。次に、皮膚接触可能な表面１０６はプレート７７０の上に載せられ、このプレート７７０は非弾性のケーブル７８０（例えば、スチール鋼または一般に引き伸ばし不可能な繊維）により吊り下げられており、このケーブル７８０は、はかり７４０の上に存在しているアーム７９０を介して、はかり７４０に連結されている。なお、装置１００は、上記のような、さらに、はかりにおいて１７０グラムを記録するための様式において、位置決めされる以外の様式で、位置決めされてもよい。その後、装置１００に電力が供給され、基準線の電流と基準線の電圧が記録される。この結果、基準線の電力は基準線の電圧と基準線の電流との積として計算される。その後、第２の試験において、望まれる質量がはかりにおいて記録されて、試験電流および試験電圧が記録されるように、皮膚接触可能な表面１０６が試験用の皮膚７３０に対して接触させられる。さらに、上記の積がこの試験電力を決定するために計算される。一般に、装置が、試験用の皮膚７３０による負荷の下に皮膚接触可能な表面１０６を作動させるために、さらに多くの電力（例えば、さらに多くの電流）を消費するのに従って、その装置により引き出される電流が増加するので、この試験電力は基準線の電力よりも大きくなる。次に、皮膚に対する電力の出力を決定するために、基準線の電力が試験電力から差し引かれる。このように基準線の電力を差し引くことにより、試験装置により消費されて皮膚に供給されない電力が、装置を比較する場合に、考慮から除かれる。その後、基準線の電力の決定を含む、上記の処理工程は、試験される全ての装置に対して繰り返される。
【００８４】
合成の皮膚は以下の方法を用いて構成されている。下部の層は、ニュージャージー州、ソマービルのHydromer Inc.から入手可能な、親水性ポリマー・ゲルである、AQUATRIX IIを用いて形成されており、室温において、このAQUATRIX IIの部分Ａであるポリビニルピロリドン基材の溶液がAQUATRIX IIの部分Ｂであるキトサン基材の溶液と共に混合される。この混合物は周囲温度で攪拌され、気泡の捕捉を最小限にするために、真空がその混合物の上部の空間に供給される。この混合物は、当該混合物が攪拌器の軸をあがり始めるまで低速で、攪拌軸を用いて約１５分間にわたり混合される。この結果として得られたゲルはその後、１３．９７センチメートル（５．５インチ）の直径のペトリ皿の中に注がれて、約１．２７センチメートル（約０．５インチ）の厚さの下部の皮膚の層が形成される。
【００８５】
その後、ニュージャージー州、ニュー・ブルンスウィックのJohnson & Johnson Medical Inc.から市場において入手可能なNUGEL A（架橋ポリビニル・ピロリドン）の層をその包装から取り出して、両方の外側のプラスチックの層を捨てる。このNUGEL Aを１３．９７センチメートル（５．５インチ）の直径に切り出して、上記の下部の皮膚の層の上に配置することにより、中間の皮膚の層を形成する。
【００８６】
コネチカット州、ミルフォードのIMS Testing Groupから市場において入手可能なVITRO-SKINの層を１３．９７センチメートル（５．５インチ）の直径の一片に切り出してから、上記の中間の皮膚の層の上に配置することにより、三層の合成の皮膚の積層体における上側の層を形成する。この積層体はその後、コバルト６０の放射線により照射される。この放射線の線量は２５キログレイ（２．５メガラド）を目標としており、この線量は約１５０分の時間の期間中に送達できる。この積層体を照射するために使用できる適当な装置は、カナダ国、オンタリオ州、カナタのNordion International Inc.から市場において入手可能な、Gamma Cell 220である。
【００８７】
皮膚に対する薬剤の送達
上記の装置向上剤（例えば、伝達用の組成物、均質化用の組成物）および上記の有益な薬剤等のような、種々の組成物は、１種類以上の供給装置により、皮膚１０２の一定の広がりの部分に対して送達できる。これらの供給機構は、薄い液体、ゲルまたはクリームの皮膚１０２の一定の広がりの部分の上への、従来のすり込み、ポンプ輸送および／または噴霧、を含む。別の適当な方法の送達は、図６Ａにおいて示されているような、ポート６０６を通して、薬品送達補助組立体１８０による上記の組成物のポンプ輸送または注入、を含む。
【００８８】
図８を参照して、本発明の一例の実施形態において、皮膚接触可能な要素１０５は、粘性の実質的に無い皮膚接触可能な表面１０６、を含んでいる。一例の実施形態において、この皮膚接触可能な表面１０６は、単独または組み合わせにおいて粘性を与えるために機能する接着性の１種類以上の物質、を含まない。この皮膚接触可能な表面１０６から除外できる適当な粘性の材料は、「装置向上剤」と題する部分において論じられている伝達用の組成物に関連して、前に論じられている材料（粘性のポリマー材料および粘性化用の樹脂）、を含む。例えば、「Ａ」環状おもりおよび「Ｆ」補助おもりの付属品を装着したＴＭＩモデル８０−０２−０１（TMI Model 80-02-01）を用いて、この皮膚接触可能な表面がProbe Tack Tester（ニューヨーク州、アミティビルのTesting Machines Inc.から市場において入手可能）を用いて試験されて、１センチメートル／秒に設定され、さらに、ＡＳＴＭＤ２９７９を用いて試験される場合に、その結果として生じる粘性の読取値は約２０グラムより小さく、例えば、約５グラムよりも小さくなる。
【００８９】
上記の皮膚接触可能な要素１０５は、皮膚の一定の広がりの部分に接触させるために、またはその一定の広がりの部分に接触する際に、その皮膚接触可能な要素から放出されるように構成されている薬剤、を含んでいてよい。この薬剤は一般に、皮膚接触可能な表面１０６が皮膚１０２の一定の広がりの部分に接触して配置される時に、その皮膚１０２の一定の広がりの部分に皮膚接触可能な要素１０５から伝達されることが可能である。この薬剤は、皮膚接触可能な要素が用いられてから、所定範囲の時間の経過後に、皮膚１０２の一定の広がりの部分に接触するように、皮膚接触可能な要素１０６の中に置くことができる。なお、皮膚接触可能な表面１０６から粘性の材料を除外することにより、皮膚１０２の一定の広がりの部分への薬剤の送達が容易になることに注目されたい。この理由は、種々の薬剤が粘性の物質の中に捕捉されて、皮膚１０２の一定の広がりの部分への送達を減少させるからである。
【００９０】
本発明の一例の実施形態において、上記の皮膚接触可能な要素１０５は、皮膚１０２の一定の広がりの部分と皮膚接触可能な表面１０６との間に供給される圧力の影響を受けやすい様式で、多孔質の材料（図３Ｂにおいて示されている多孔質シート１０８等）を通して送達されるように構成されている薬剤の少なくとも一部分、を含有している。
【００９１】
一例の皮膚接触可能な要素１０５は、図８において描かれているような、多層型である。本発明のこの実施形態において、薬剤は制御層８０２により皮膚接触可能な表面１０６から分離されている。この制御層８０２は、例えば、早期の劣化（例えば、酸化）から薬剤８０４を保護するために、役立つことができる。この保護とは別に、あるいは、この保護に加えて、制御層８０２は、制御されたまたは安定な速度で薬剤８０４を送達するか、あるいは、皮膚接触可能な要素が用いられてから一定範囲の時間の経過後に薬剤８０４を送達するために、役立つことができる。さらに、制御層８０２は、圧力下または特定の温度において、あるいは特定の化学的な環境にさらされると、経時的に、薬剤８０４の漸進的な放出を容易にする材料、を含んでいてもよい。例えば、この制御層８０２は、エチレン・ビニル・アセテートに基く材料等のような、多孔質または非多孔質の高分子材料を含む、速度制御用の膜、を含んでいてよい。さらに、制御層８０２は送達される薬剤を含有していてよく、あるいは、薬剤は、例えば、装置の動作中に、制御層８０２を通して拡散できるように、制御層８０２の下の全体に配置されていてもよい。
【００９２】
本発明の一例の実施形態において、制御層８０２は制御された速度で溶解する層である。例えば、この制御層は、ゆっくりイオン化し、あるいは、溶解すること（酸性の媒体にさらされる場合等）により、安定なまたは制御された用量の金属イオンを皮膚に供給する、銀、亜鉛、銅またはこれらの組み合わせ物等のような、金属の層であってよい。このような実施形態はアクネを治療するために特に有用になる可能性がある。また、このような金属の層は、下層の表面の上に、電気めっき、化学めっき(electroless plating)、熱蒸発(thermal evaporation)等により、被覆されるためのものでよい。
【００９３】
薬剤８０４の少なくとも一部分は皮膚接触可能な表面１０６の下に配置でき、この部分は、皮膚接触可能な表面が皮膚の一定の広がりの部分に接触する時間と、薬剤がその皮膚の広がりの部分に接触する時間との間において、所定の遅延期間の経過後に、その皮膚１０２の一定の広がりの部分に接触するように、構成されている。
【００９４】
上記の制御層８０２は遅延期間にわたり加水分解等により変性するように構成されていてよく、この場合に、その遅延期間の後に、薬剤の皮膚１０２の一定の広がりの部分に対する接触が容易になる。例えば、制御層８０２は、多孔質になるか分解することにより、変性してもよい。制御層８０２の制御された分解は、例えば、この制御層８０２が装置１００の動作中に機械的に浸食可能(wearable)になるように、その制御層８０２を構成することにより、達成できる。本発明のこのような実施形態において、初めの皮膚接触可能な表面１０６が漸進的に浸食(is worn away)されて、新しい皮膚接触可能な表面を現し、この新しい皮膚接触可能な表面は、制御層８０２が浸食されるのにしたがって、皮膚接触可能な要素１０５の内部に向かって進む。本発明のこのような実施形態において、制御層８０２は、例えば、プラスチック、エラストマー、または繊維質あるいはその他の多孔質な材料の、浸食可能な層であってよい。これらの実施形態において、上記の制御層は、例えば、繊維質の基材の上にプリント(print)可能である、トリグリセリド、部分的なグリセリド、脂肪族アルコール、脂肪族エステル、等のような浸食可能な脂肪族材料、ポリエチレン・グリコール、ポリビニル・アルコール等のような浸食可能なポリマーであってよい。さらに、この浸食可能なポリマーは磨耗性の粒子または染料を内部に有している。
【００９５】
本発明の代替的な実施形態において、上記の制御層８０２は、剥離等により、動作の前に取り外し可能であってよく、あるいは、孔あけしたインターフェース（図示されていない）等のように、手により取り外すことが可能である。皮膚接触可能な要素１０５の別の適当な構成は、この皮膚接触用の要素１０５の中に形成されているか、収容されているか、含まれているか、あるいはその他の様式で当該要素１０５に少なくとも部分的に固定されている薬剤、を有している。例えば、この薬剤は皮膚接触用の要素１０５の中に位置している空間またはポケット（図示されていない）の中に置かれていてもよく、皮膚接触用の要素１０５を形成している材料の中に混合されていてもよい。また、この薬剤は、例えば、皮膚接触可能な要素１０５の中における保存性を高めるために、カプセル用材料の中でも、ポリマーやリポソームにより、カプセル化できる。本発明の別の実施形態において、上記の薬剤は、皮膚接触可能な表面１０６の選択された部分のみから送達されるように、上記の高められた領域の中に置かれている。
【００９６】
図８にもどり、上記の薬剤は、例えば、制御層８０２の下に置かれている皮膚接触可能な要素１０５の活性層８０４を形成するように構成できる。なお、図８は１個の有益な効果の層を有する皮膚接触可能な要素１０５を描いているが、多数個の有益な効果の層が含まれていて、それぞれが、互いに適合性を有している多数の有益な薬剤、を有していてもよい。
【００９７】
上記の薬剤は、別の有益な薬剤を伴って、さらに／または、固体（例えば、粒状、自立形フィルム、プラスチックまたは不織材料等のような繊維質の媒体等）、液体（例えば、水性で薄くまたは粘性であり、ペースト、クリーム、エマルジョンを含む）、またはこれらの組み合わせ物、であってよい組成物を形成するための別の成分を伴って、配合されてもよい。また、上記の活性層８０４は、指示層８１４（以下において説明されている）または構造層８０８（インターフェース１５０に送達される薬剤を全く含まない層）等のような、別の層の上に置かれていてもよい。
【００９８】
上記の皮膚接触可能な要素１０５は、多層化されている場合に、押出成形、射出成形、キャスティング等、ならびに、その皮膚接触可能な要素１０５を形成するために多数の層を一緒に接合するためのラミネーションや機械的手段、を含む、上述のような種々のプラスチックまたはエラストマーの処理技法、を用いて形成できる。この皮膚接触可能な要素１０５における種々の層は、約０．１ミクロン〜約５ｍｍ等のように、可変である厚さ、を有していてよい。
【００９９】
信号マーカー
再び図８を参照して、本発明の一例の実施形態において、皮膚接触可能な表面１０６は、上記の皮膚接触可能な要素に少なくとも部分的に固定されている少なくとも１個の信号マーカー８１０（例えば、信号層８１４の中に含まれていてよい）、を含んでいる。この信号マーカー８１０は、当該信号マーカー８１０が露出される時などに、装置の動作の一定時間の期間の経過後に、その装置に最も近い使用者に対して識別可能である感覚の変化を生じることに適合している。この感覚は、触覚、嗅覚、熱、視覚、聴覚、およびこれらの組み合わせであってよい。上記の少なくとも１個の信号マーカー８１０は、上記の皮膚接触可能な表面が皮膚１０２の一定の広がりの部分に供給されると、その皮膚に対して送達されることが可能になる。
【０１００】
上記の信号マーカー８１０は、装置１００の使用中に、皮膚接触可能な要素１０５の漸進的な浸食により曝露させることができる。さらに、この信号マーカー８１０は、これ以外に、上記の部分の「皮膚に対する薬剤の送達」において薬剤について上述されているように（例えば、別の制御層の中かその下において）、皮膚１０２の一定の広がりの部分に送達されてもよい。
【０１０１】
上記の信号マーカー８１０は、装置１００の動作中に変化を開始する時間である、視覚、聴覚、触覚または嗅覚、の合図を使用者に与える。例えば、この信号マーカー８１０は、当該信号マーカー８１０が曝露される前に、皮膚接触可能な要素１０５により与えられる前の感覚とは異なる触知できる感覚を、被験者に与えることができる。
【０１０２】
図８は薬剤８０４の下にある信号層８１４の中に置かれているものとして信号マーカー８１０を描いているが、このことは必ずしも必要ではない。例えば、本発明の一例の実施形態において、皮膚接触可能な表面１０６は、基材の中に置かれているかこれから突出している磨耗性の粒子の、縞、点または造形されたパタンまたはしるし等のような、領域を有することができる。この基材は、ポリマー（例えば、ポリエチレン・グリコール等）または脂肪族材料（例えば、脂肪族のエステル、アルコール等）、を含むことができる。また、上記の磨耗性の粒子はさまざまな組成物（例えば、シリカ、カーボランダム、平滑なガラス、ポリエチレン等）であってよい。これらの磨耗性の粒子、および基材は、皮膚接触可能な要素から除去可能であるか交換可能である繊維質または熱孔あけ処理したフィルムの下地の上に塗布または印刷できる。使用中に、一定時間の期間にわたり、皮膚に接触すると、上記の基材は浸食されて、磨耗性の粒子を分離させることができる。さらに、一定時間の期間の経過後に、磨耗性の粒子のかなりの部分が分離可能になり、使用者に対して、浸食された下地を新しい下地（その上に新しい基材と新しい磨耗性の粒子を有している）に交換する時間であることを合図する。なお、磨耗性の粒子が信号マーカー８１０として役立っている本発明の上記のような実施形態において、上記の浸食可能な基材は有益な薬剤ならびに磨耗性の粒子を含んでいてよいことに注目されたい。
【０１０３】
本発明の別の実施形態において、皮膚接触可能な要素１０５は、過度に使用されると、使用者が触覚の変化を感じることができるか、感覚における視覚的な変化を見ることができ、これにより繊維質のウェブ(web of fibrous)を新しい物に変える時間であることを認識する一定の方法で、裂けるかこれ以外の様式で機械的に劣化するように設計されている繊維材料の交換可能なウェブ、を含んでいてよい。
【０１０４】
上記の信号マーカー８１０により与えられる感覚は、治療の効果を維持するか、新しい衛生的な表面１０６を供給するために、皮膚接触可能な要素１０５を新しい物と交換する時間であること、を指示できる。また、本発明の別の実施形態において、信号マーカー８１０は、装置の動作（例えば、皮膚接触可能な表面１０６の振幅や周波数）を調節する時間や、薬剤の種類または流量を変えたり、追加したり、調節する時間であること等を指示できる。
【０１０５】
本発明の一例の実施形態において、信号マーカー８１０は外側の浸食可能な被膜８１２の中にカプセル化されている。この被膜８１２は、装置１００の動作の全体を通して漸進的に浸食されることが可能である、アクリレート・ポリマー等のような、任意の材料を含むことができる。上記の信号マーカー８１０は、上記の被膜が損なわれて信号マーカー８１０が放出されると、識別可能になる視覚、触覚、熱、または嗅覚の特性を有するあらゆる材料、を含むことができる。終点のマーカーの中に含むことのできる材料の適当な例は、香料およびその他の揮発性で香りのよい化合物、美容において許容可能な染料または顔料、冷却用の化合物、水分に接触すると熱を放出する（無水の）無機塩類等のような加温性の化合物等、を含む。
【０１０６】
信号マーカー８１０は、皮膚１０２の一定の広がりの部分に対する、さらに／または、皮膚接触可能な表面１０６により皮膚１０２の一定の広がりの部分に与えられる機械的なエネルギーに対する、相互作用の結果として、その合図する機能を与えることができる。この信号マーカー８１０は、特にこの信号マーカー８１０が露出されている時に、皮膚接触可能な表面１０６により与えられる動作や圧力に対して敏感な一つ以上の特性を有することができる。例えば、この信号マーカー８１０は、治療やその特定の段階が完了したことを被験者に伝えるために、粘度の変化を経験することにより（剪断増粘材または剪断低粘材等が経験できる）、触知できる感覚またはにおいを発生することができ、あるいは、振動、剪断、または圧力にさらされると、熱エネルギーを吸収するか放出できる。上記の信号マーカー８１０は、図８において示されている層８１４等のような別の層の中に、配置できる。また、この層８１４は活性層８０４の下にあってもよい。
【０１０７】
薬品送達補助組立体
再び、図１において、ユーザー出力組立体１０４は、例えば、皮膚接触可能な表面１０６により、皮膚に１種類以上の薬剤を送達するための薬品送達補助組立体１８０を含んでいてよい。さらに、図１において、薬品送達補助組立体１８０は、それぞれが１種類以上の薬剤、装置向上剤またはその他の組成物を含有している、１種類以上の流体の組成物を、インターフェース１５０に、送達するように設計できる。このような機能を行なうために、薬品送達補助組立体１８０は、種々の流体を貯蔵するための分離可能なカートリッジまたはその他の貯蔵容器１８５と、インターフェース１５０に対する流体の流量を制御するための弁１８１または膜（図示されていない）と、インターフェース１５０に対する流体の送達を容易にするためのポンプ（図示されていない）と、インターフェース１５０に対する流体の輸送のための導管１８３と、流体を流動可能にするか活性にするためのヒーター（図示されていない）と、を含む種々の部品、を含んでいてよい。弁１８１は、薬剤の流れが予めプログラムできるか、検出部２７０からの情報に基いて変更可能になるように、コントローラ２４０に電気化学的に連結できる。
【０１０８】
インジケータ
信号マーカー８１０は皮膚接触表面１０６に付随しているものとして上記において説明されているが、付随していない別のインジケータが装置１００の使用者に情報を伝達するために使用されてもよい。図１において、ユーザー出力組立体１０４は、一般に皮膚接触可能な表面１０６から分離されていて装置が使用者に情報を伝達することを可能にするインジケータ２４５を、随意的に含んでいてよい。このインジケータ２４５は、例えば、ＬＥＤまたはＬＣＤ等のような、視覚用の光またはディスプレイ、「ビープ音」やその他の指示用の音を与えることのできるような聴覚用のディスプレイ、または使用者に情報を伝達するためにハンドル１２２の中に置くことのできる振動用または加熱用の要素、であってよい。このインジケータ２４５は、使用者により容易に検出可能である刺激、を発生する。このインジケータ２４５は、例えば、皮膚接触可能な表面１０６の上における、過度に大きな圧力を伴って、皮膚に対してその皮膚接触可能な表面を使用者が接触させていることを、使用者に警告するために使用されてもよい。同様に、このインジケータ２４５は、使用者にとって知らされることが望ましいと思われる装置１００または皮膚１０２の状態の中でも、モータが過度に速く振動していること、皮膚上の温度が高すぎること、皮膚接触可能な要素１０５が浸食されて交換を必要としていること、を使用者に伝えるために使用できる。
【０１０９】
コントローラ
図１において、装置１００の制御を容易にするために、マイクロプロセッサ・コントローラ２４０を、装置１００の部品の中でも、ユーザー出力組立体１０４の種々の部品に電気的に連結できる。このコントローラ２４０は、例えば、中央処理装置（ＣＰＵ）２７５と、メモリ２８０、ＣＰＵ２７５のための支援回路２８５と、を含んでいる。ＣＰＵ２７５は、工業用または消費者製品用の電気機械的な処理装置における種々の部品を制御するために使用できる汎用コンピュータ・プロセッサの任意の形態の一つであってよい。メモリ２８０はＣＰＵ２７５に連結されている。このメモリ２８０またはコンピュータ読取可能媒体は、ランダム・アクセス・メモリ（ＲＡＭ）、リード・オンリー・メモリ（ＲＯＭ）、ハード・ディスク、フロッピー・ディスク、または任意の他のデジタル記憶装置の形態等のような、容易に入手可能なメモリの１種類以上であってよい。また、支援回路２８５は従来の様式でＣＰＵ２７５を支援するためにＣＰＵ２７５に連結されている。これらの回路は、キャッシュ、電源、クロック回路、入出力回路等、を含むことができる。この場合に、皮膚の治療方法を、ソフトウェア・ルーチンとして、メモリ２８０の中に記憶させてもよい。また、一定のソフトウェア・ルーチンを、ＣＰＵ２７５により制御されるハードウェアから遠く離れて置かれている第２のＣＰＵ（図示されていない）により、記憶されて実行できるようにしてもよい。
【０１１０】
上記のソフトウェア・ルーチンは、実行される場合に、上記の汎用コンピュータを、皮膚の治療処理が行なわれるように、モータ１３０の動作を制御する特定用途のコンピュータ（コントローラ２４０）に変換できる。コントローラ２４０は検出部２７０および／または受容要素２５５に連結されていて、これらからデータを受け取る。このデータに基いて、コントローラ２４０はユーザー出力組立体１０４（例えば、機械エネルギー送達補助組立体１１２、薬品送達補助組立体１８０、インジケータ２４５、またはこれらの組み合わせ物）に動作の命令を与える。
【０１１１】
コントローラ２４０は、例えば、特定の波形の動作を生じるための、皮膚接触可能な表面１０６の動作の振幅および周波数、を含む装置１００の１種類以上の状態を制御できる。なお、上記の「波形(waveform)」とは、皮膚接触可能な表面１０６の動作の振幅および周波数（例えば、反復式、軌道を描く状態等）の、任意の特定の時間により変化する分布またはパタン、を意味している。
【０１１２】
上記の波形はモータ１３０に供給される１種類以上の時間により変化する電流および／または電圧により発生させることができ、これらの電流および／または電圧はその後、伝達部材１２５に伝達される。本発明の一例の実施形態において、モータ１３０は、上記の波形を制御または調節するために用いられる少なくとも１個の反転回路、に連結されているリニア・モータである。コントローラ２４０はまた、薬品送達システム１８０の弁１８１に電気的に連結されている等により、インターフェース１５０に送達される薬剤の選択および当該薬剤の送達の速度を制御することも可能である。このコントローラはまた、インジケータ２４５に電気的に連結されている等により、当該インジケータ２４５の状態（例えば、オン／オフ）を制御することも可能である。
【０１１３】
上記のコントローラ２４０の制御ソフトウェアは、以下において説明されているように、特定の使用者にそのコントローラ２４０を合わせるために、標準ポート２５０（図１を参照されたい）に連結することにより、受容要素２５５を介して、プログラムすることが可能である。
【０１１４】
受容要素および検出部
図１において示されている本発明の一例の実施形態において、装置１００は、コントローラ２４０に連結されている受容要素２５５、を含んでいる。この受容要素２５５は、例えば、年齢、性別、身長、体重、肥満度指数(体型指数)、および被験者の一つ以上の皮膚の特性に相関付けるために役立つ可能性のある、その他の個人的な特徴、を含む、ユーザー属性データ等のような、データを受容できる。また、この受容要素２５５は、コントローラ２４０をプログラムする目的のために、外部データ供給源（図１において示されていない）にコントローラ２４０を接続する手段を与える外部インターフェース、であってもよい。この受容要素２５５は、例えば、ＵＳＢポートまたはＲＳ−２３２コネクタのいずれでもよい。さらに、この受容要素２５５は、例えば、標準ポート２５０を介して、コントローラ２４０に連結できる。
【０１１５】
本発明の一例の実施形態において、装置１００は、皮膚接触可能な表面１０６に連通している検出部２７０、を含んでいる。上記の受容要素２５５は一般に、「事前プログラムされた」ユーザー属性データに基いてコントローラ２４０に情報を与えるために用いられるが、検出部２７０は、装置１００の動作中に、コントローラ２４０に情報を与えるために用いられる。この検出部２７０は皮膚１０２に付随する少なくとも一つ以上の特性の状態を感知できる。この検出部２７０は、例えば、コントローラ２４０に電気的に連結されている。これにより、コントローラ２４０はユーザー出力組立体１０４に動作の命令を与えることができ、これらの命令は、検出部２７０により感知された一つ以上の特性に、応じている。
【０１１６】
検出部２７０は、皮膚接触可能な表面１０６または皮膚１０２の一定の広がりの部分からのデータを、コントローラ２４０に、与える幾つかのセンサーのいずれかである。この検出部２７０は、圧力（例えば、皮膚１０２の一定の広がりの部分と皮膚接触可能な表面１０６との間の圧力）、化学特性、光学特性、または熱特性、等のような、ひとつ以上の特性、を感知できる。また、この検出部２７０は、例えば、少なくとも１個のサーミスタ、圧力変換器、化学センサー、光ダイオード、またはこれらの組み合わせ物、であってよい。コントローラ２４０は、特定の使用者の要求および状況にしたがって電流および／または電圧の波形をさらに合わせるために、検出部２７０のデータを用いることができる。
【０１１７】
上記の検出部２７０および受容要素２５５は、存在する場合に、コントローラ２４０およびユーザー出力システム１０４に連通していて、これらと共に協同する。この協同作用を行なうことのできる多くの方法が存在する。例えば、検出部２７０は、例えば、負荷の状態（例えば、皮膚接触可能な表面１０６が接触している皮膚１０２の一定の広がりの部分により、その皮膚接触可能な表面１０６に加えられる力）を感知してもよい。この状態に関する情報はコントローラ２４０に伝えられる。これにより、コントローラ２４０は、皮膚接触可能な表面１０６により出力される既存の波形を変更するために、モータ１３０等のような、ユーザー出力システム１０４の部品に対して信号を送ることができるようになる。同様に、負荷が、例えば、約６．９×１０2 パスカル（約０．１ｐｓｉ）よりも小さいか約１．３８×１０5 パスカル（約２０ｐｓｉ）よりも大きい、所定の範囲内にあるかその範囲外にあることを使用者に指示するために、インジケータ２４５が、光、可聴音、または振動の刺激、を発生可能になるように、そのインジケータ２４５に信号を送ることができるようになる。あるいは、検出部２７０は皮膚１０２の一定の広がりの部分の表面温度の状態を感知して、この結果として、波形を変更するか、適宜に、インジケータ２４５に信号を供給してもよい（例えば、モータ１３０は、上記の温度が一定の臨界温度よりも高ければ、停止できる）。本発明の別の実施形態において、検出部２７０は、皮膚の反射率、透過率、蛍光、光散乱、およびこれらの組み合わせ、等のような、光学特性を感知して、適宜に、波形を変更する。
【０１１８】
波形の制御
本発明の一例の実施形態において、モータ１３０に対してコントローラ２４０により与えられる一組の波形の命令が起こされ、受容要素２５５、検出部２７０、またはこれらの組み合わせにより与えられる情報に応じて変更または調整される。図９は、波形を起こすか変更するために有用である装置１００の一例の実施形態、を示している。
【０１１９】
図９はコントローラ２４０のブロック図を示しており、このコントローラ２４０は装置１００の動作を適当に制御できる。図９はまた、モータ１３０と、エネルギー貯蔵要素１３５と、インジケータ２４５と、標準ポート２５０と、入力装置２６０と、検出部２７０と、に電気的に接続されているコントローラ２４０、を示している。この検出部２７０はアース２７１により接地されており、エネルギー貯蔵要素１３５はアース１３６により接地されている。
【０１２０】
本発明の上記の実施形態において、コントローラ２４０は、センサー入力１１０２と、アナログ−デジタル変換器（Ａ／Ｄ）１１０４と、入力コントローラ１１０６と、インジケータ・ドライバ１１０８と、ランダム−アクセス・メモリ（ＲＡＭ）１１１０と、消去可能ＰＲＯＭ（ＥＰＲＯＭ）(erasable programmable read-only memory)１１１２と、外部インターフェース・ドライバ１１１４と、マイクロコントローラ１１１６と、を含んでいる。さらに、モータ１３０に付随して、コントローラ２４０は、電圧供給源（ＶS ）１１２４と、ＶS デジタル−アナログ変換器（Ｄ／Ａ）１１２６と、電圧計（ＶM ）１１２８と、ＶM Ａ／Ｄ変換器１１３０と、電流計（ＩM ）１１３２と、ＩM Ａ／Ｄ変換器１１３４と、電流供給源（ＩS ）１１３６と、ＩS Ｄ／Ａ変換器１１３８と、を含むモータ・コントローラ領域１１１８、を含んでいる。
【０１２１】
マイクロコントローラ１１１６と、Ａ／Ｄ変換器１１０４と、入力コントローラ１１０６と、インジケータ・ドライバ１１０８と、ＲＡＭ１１１０と、ＥＰＲＯＭ１１１２と、外部インターフェース・ドライバ１１１４と、ＶS Ｄ／Ａ変換器１１２６と、ＶM Ａ／Ｄ変換器１１３０と、ＩM Ａ／Ｄ変換器１１３４と、ＩS Ｄ／Ａ変換器１１３８と、の間の連通はデータ／アドレス・バス１１２０に対する電気的な接続により達成されており、このデータ／アドレス・バス１１２０は標準的な二方向データ／アドレス通信バスでよい。さらに、コントローラ２４０の全ての要素は、共通電力バス（図示されていない）により、貯蔵要素１３５からの電圧供給（＋Ｖ）を受けている。
【０１２２】
センサー入力１１０２はコントローラ２４０と検出部２７０との間の電気的なインターフェースとして役立つ。このセンサー入力１１０２は検出部２７０の出力を検出した後に、その検出情報をＡ／Ｄ変換器１１０４に供給し、このＡ／Ｄ変換器１１０４は、センサー入力１１０２のアナログ出力を、データ／アドレス・バス１１２０に対する供給およびその後のマイクロコントローラ１１１６による呼掛け、に適するデジタル信号に、変換するための周知のアナログ−デジタル変換機能を実行する。
【０１２３】
入力コントローラ１１０６はコントローラ２４０と外部入力装置２６０との間の電気的なインターフェースとして役立つ。この入力コントローラ１１０６は入力装置２６０に付随しているあらゆるボタンまたはスイッチの状態を検出して、そのデジタル情報を、その後のマイクロコントローラ１１１６による呼掛け(interrogation)のために、データ／アドレス・バス１１２０に伝達する。また、インジケータ・ドライバ１１０８はコントローラ２４０と外部インジケータ２４５との間の電気的なインターフェースとして役立つ。このインジケータ・ドライバ１１０８は、インジケータ２４５に付随する任意の視覚、聴覚、または触覚の刺激の装置（インジケータ２４５等のような）のための駆動回路、を備えている。さらに、このインジケータ・ドライバ１１０８は、外部インジケータ２４５を駆動するために、マイクロコントローラ１１１６の制御下において動作する。
【０１２４】
ＲＡＭ１１１０はデータを記憶するための任意の標準的なＲＡＭ装置であってよい。このＲＡＭ１１１０の典型的な容量は、例えば、８Ｋ〜６４Ｋの範囲であってよい。また、このＲＡＭ１１１０は、ＥＰＲＯＭ１１１２に記憶されているソフトウェア・コードを用いてマイクロコントローラ１１１６により実行されるソフトウェア・プログラム（図示されていない）に対応する、リアルタイムのデータの入力および出力のために用いられる。
【０１２５】
ＥＰＲＯＭ１１１２は任意の標準的な消去可能ＰＲＯＭ装置であり、元の製造から、あるいは、使用者による装置１００の購入時の任意の時点において、プログラムされる能力を伴っている。このＥＰＲＯＭ１１１２はマイクロコントローラ１１１６により使用されるための制御ソフトウェア・コードを記憶するために用いられている。
【０１２６】
外部インターフェース・ドライバ１１１４はコントローラ２４０と標準ポート２５０との間の電気的なインターフェースとして役立つ。この外部インターフェース・ドライバ１１１４は、例えば、ＵＳＢまたはＲＳ−２３２のインターフェース、を用いて、外部プログラム装置とマイクロコントローラ１１１６との間のインターフェースを可能にする一組のドライバ、の内のいずれかである。
【０１２７】
マイクロコントローラ１１１６は、８−ビット・マイクロコントローラ等のような、任意の従来のマイクロプロセッサ装置であり、この装置はコントローラ２４０の全ての要素および動作を管理するためのソフトウェアおよびハードウェアの制御を行なう。
【０１２８】
集合的に、ＶS １１２４と、ＶS・Ｄ／Ａ １１２６と、ＶM １１２８と、ＶM ・Ａ／Ｄ １１３０と、ＩM １１３２と、ＩM ・Ａ／Ｄ １１３４と、ＩS １１３６と、ＩS ・Ｄ／Ａ １１３８と、はモータ１３０の全ての機能に対してハードウェアの制御を行なう。すなわち、これらの要素は、モータ１３０のための、電圧供給源と、電圧測定機能と、電流供給源と、電流測定機能と、を与えている。
【０１２９】
さらに具体的に言えば、ＶS １１２４はモータ１３０に電圧供給源を与えている。ＶS・Ｄ／Ａ １１２６はＶS １１２４のためのデジタル−アナログのデータ変換を行ない、これにより、データ／アドレス・バス１１２０から受け取られたデジタル・データは、ＶS・Ｄ／Ａ １１２６により、ＶS １１２４により使用するためのアナログ出力に、適当に変換される。したがって、このＶS １１２４の電圧出力値はマイクロコントローラ１１１６の制御下に設定される。
【０１３０】
ＶM １１２８はモータ１３０のための電圧測定機能を与えている。ＶM ・Ａ／Ｄ １１３０はＶM １１２８のためのアナログ−デジタルのデータ変換を行ない、これにより、ＶM １１２８から受け取られたアナログ信号は、ＶM ・Ａ／Ｄ １１３０により、データ／アドレス・バス１１２０への接続とマイクロコントローラ１１１６による後の呼掛けのための、デジタル・データに、適当に変換される。
【０１３１】
ＩM １１３２はモータ１３０のための電流測定機能を与えている。ＩM ・Ａ／Ｄ １１３４はＩM １１３２のためのアナログ−デジタルのデータ変換を行ない、これにより、ＩM １１３２から受け取られたアナログ信号は、ＩM ・Ａ／Ｄ １１３４により、データ／アドレス・バス１１２０への接続とマイクロコントローラ１１１６による後の呼掛けのための、デジタル・データに、適当に変換される。
【０１３２】
ＩS １１３６はモータ１３０に対して電流供給源を与えている。ＩS ・Ｄ／Ａ １１３８はＩS １１３６のためのデジタル−アナログのデータ変換を行ない、これにより、データ／アドレス・バス１１２０から受け取られたデジタル・データは、ＩS ・Ｄ／Ａ １１３８により、ＩS １１３６により使用するためのアナログ出力に、適当に変換される。したがって、このＩS １１３６の電流出力値はマイクロコントローラ１１１６の制御下に設定される。
【０１３３】
コントローラ２４０の全ての要素は、単一のマイクロ電子チップの中にはめ込まれていてもよく、共通バスにより接続されている分離したマイクロ電子チップであってもよい。コントローラ２４０のそれぞれの要素は、マイクロコントローラ１１１６により理解されているアドレス、を有している。このそれぞれの要素は、データ／アドレス・バス１１２０を介して、データを送受するための能力を有している。例えば、センサー入力１１０２は検出部２７０からアナログ・データを受け取り、そのデータをデジタルの形態に変換して、そのデジタル・データをマイクロコントローラ１１１６に送り、このマイクロコントローラ１１１６においてそのデータは処理される。さらに、センサー入力１１０２からのデータを処理した後に、マイクロコントローラ１１１６は、モータ１３０に供給する電圧を減少させるように、ＶS １１２４に命令を送ることにより、モータ１３０の回転速度を下げることができる。
【０１３４】
動作の一例のモードにおいて、マイクロコントローラ１１１６による使用のための制御ソフトウェア・コード・データは、標準ポート２５０および外部インターフェース・ドライバ１１１４を介して、ＥＰＲＯＭ１１１２の中にロードされる。このマイクロコントローラ１１１６はＥＰＲＯＭ１１１２からソフトウェア制御命令を受け取る。例えば、ＥＰＲＯＭ１１１２は、インジケータ２４５に対する出力のために、当該ＥＰＲＯＭ１１１２からデータの一つを移動させるように、マイクロコントローラ１１１６に命令することができる。これにより、マイクロコントローラ１１１６はデータ伝達機能を実行して、データをインジケータ・ドライバ１１０８に送り、インジケータ２４５における任意の、視覚、聴覚、または触覚の、刺激装置を作動させるように、インジケータ・ドライバ１１０８に命令する。
【０１３５】
モータ制御動作の一例において、ＶM １１２８はモータ１３０をまたぐ電圧を測定し、ＩM １１３２はモータ１３０を通る電流を測定する。マイクロコントローラ１１１６はこれらの測定値を呼掛け(interrogate)、そのデータを、モータ１３０に供給される波形データを調節するために使用できる。例えば、装置１００の使用者が皮膚接触可能な要素１０５に過度の負荷を供給すると、ＩS １１３６からモータ１３０に供給される電流は、マイクロコントローラ１１１６の制御に応じて、増加される。この場合に、ＩM １１３２はその電流の増加を測定し、その電流のデータをマイクロコントローラ１１１６に送り、このマイクロコントローラ１１１６はその後、波形のプロファイルを、それに応じて、変更できる。
【０１３６】
例えば、図１０Ａ〜図１０Ｄは、それぞれ、例示的な波形１０００，１００２，１０００４および１００６、を示しており、これらは、一定時間の期間にわたりエネルギー貯蔵要素１３５からモータ１３０に供給される電圧および／または電流の量の水準を変えることにより、作成できる。それぞれの波形グラフの縦軸は皮膚接触可能な表面１０６の振幅（あるいは、これに与えられる電力）である。一方、それぞれの波形グラフの横軸は時間を表している。
【０１３７】
図１０Ａは波形１０００を示しており、この図において、コントローラ２４０は、固定された周波数または可変の周波数において、モータ１３０に対する電力をオン／オフする。適当な皮膚接触可能な要素１０５に連結されると、波形Ａは皮膚の外側の層（すなわち、表皮）の中への機械的なエネルギーの送達を助長できる。この波形は高い強度の治療に対する媒体に適することができ、例えば、約２ｍｍの振幅および約１５００〜２０００サイクル／分の周波数を伴って、使用可能である。
【０１３８】
同様に、図１０Ｂは、高い強度の治療に適することができる、ピークの振幅において費やされる比較的に長い期間を有する波形１００２、を示している。この波形１００２は、例えば、約２．５ｍｍの振幅および約３０００サイクル／分の周波数を伴って、使用可能である。図１０Ｃは、低い強度に適することができ、例えば、約１．５ｍｍの振幅および約１０００サイクル／分の周波数を伴って、使用可能であり、高い強度の治療に適することのできる、ピークの振幅において費やされる比較的に短い期間を有する波形１００４、を示している。
【０１３９】
図１０Ｄは低い周波数に重ねることのできる高い周波数の波形を示している。コントローラ２４０は、プラトーに到達するまで、モータ１３０に対する電力を徐々に高める。このプラトー期間は、振動用の電力は、高い周波数で、モータ１３０に供給され、その後、モータ１３０に対する電力は徐々に減少される。このような波形は、皮膚１０２の外側の層の中ならびにその皮膚の内側の層の中へのエネルギーの送達を促進させるために、適することができる。さらに、このような皮膚の内側の層へのエネルギーの送達は、これにより（低周波数に重ねることのできる高周波数の振動により）、コラーゲンの若返りを促進させるために役立つ可能性がある。
【０１４０】
有益な薬剤
「有益な薬剤」とは、要素、イオン、化合物（例えば、合成の化合物または天然の供給源から分離される化合物）または、固体の（例えば、粒状の）、液体の、または気体の状態におけるその他の化学的な成分、および皮膚における美容または治療の効果を有する化合物、を意味している。
【０１４１】
本発明の組成物はさらに、１種類以上の有益な薬剤または、これらの医薬として許容可能な塩および／またはエステル、を含むことができ、これらの有益な薬剤は一般に、皮膚に対して相互作用して、その皮膚に対して有益な効果を与えることができる。本明細書において用いられる場合に、用語の「有益な薬剤(benefit agent)」は、美容または医薬等のような、望まれる場所において、皮膚の中および／または上に、送達される必要のある任意の活性な成分を含んでいる。
【０１４２】
本発明において有用な有益な薬剤は、それらの治療の有益な効果またはそれらの仮定された作用様式により、分類できる。しかしながら、本発明において有用な有益な薬剤は、一部の状況において、２種類以上の治療の有益な効果を与えるか、２種類以上の作用様式により作用する可能性があることが理解されるべきである。それゆえ、本明細書において記載されている特定の分類は便宜上行なわれていて、上記の有益な薬剤をこれらの記載されている特定の用途に限定することは意図されていない。
【０１４３】
適当な有益な薬剤の例は、脱色剤、反射剤、皮膜形成ポリマー、アミノ酸およびこれらの誘導体、抗菌剤、アレルギー抑制剤、抗アクネ剤、老化防止剤、しわ抑制剤、消毒薬、鎮痛薬、光沢調整剤、かゆみ止め、局所麻酔薬、脱毛抑制剤、毛髪成長促進薬、毛髪成長抑制薬、抗ヒスタミン薬、抗感染薬、抗炎症剤、抗コリン作用薬、血管収縮薬、血管拡張薬、創傷治癒促進薬、ペプチド、ポリペプチド、および蛋白質、消臭薬および制汗薬、薬剤、皮膚引き締め剤、ビタミン、皮膚白色化剤、皮膚黒色化薬、抗真菌薬、脱毛剤、反対刺激薬、痔薬、殺虫薬、剥離またはその他の機能的な効果のための酵素、酵素抑制剤、ツタウルシ製品、ウルシ製品、やけど用製品、おむつかぶれ防止剤、紅色汗疹剤、ビタミン、ハーブ抽出物、ビタミンＡおよびその誘導体、フラボノイド、センセート、酸化防止薬、毛髪白色化薬、サンスクリーン剤、抗水腫剤、ネオ−コラーゲン・エンハンサー(neo-collagen enhancers)、皮膜形成ポリマー、キレート化剤、抗ふけ／脂漏性皮膚炎／乾癬剤、角質溶解薬、およびこれらの混合物、を含むが、これらに限定されない、皮膚に対して有益な効果を与える薬剤、を含む。
【０１４４】
さらに、上記の有益な薬剤は皮膚に対して受動的な有益な効果を与えてもよい。したがって、この有益な薬剤は、皮膚の、湿潤剤または軟化剤、柔軟剤またはコンディショナー、メイクアップ用化粧品、およびこれらの混合物、等のような成分を含む、組成物に配合できる。
【０１４５】
適当な抗水腫剤の例は、天然ビサボロール(bisabolol)、合成ビサボロール、コルチコステロイド、ベータ−グルカン、およびこれらの混合物、を非限定的に含む。
【０１４６】
適当な血管収縮薬の例は、トチノキ抽出物、アメリカサンショウ、過酸化物、テトラヒドロゾリン(tetrahydrozoline、tetrahydrazolineとミスタイプ)、およびこれらの混合物、を非限定的に含む。
【０１４７】
適当な抗炎症剤の例は、ベノキサプロフェン、センテラ・アジアティカ(centella asiatica)、ビサボロール(bisabolol)、ナツシロギク（全体）、ナツシロギク（パルテノライド(parthenolide)無含有）、緑茶抽出物、緑茶濃縮物、過酸化水素、サリチル酸塩、オートムギ油、カミツレ(chamomile)、およびこれらの混合物、を非限定的に含む。
【０１４８】
ネオ−コラーゲン・エンハンサーの例は、ビタミンＡおよびその誘導体（例えば、ベータ−カロチン、およびレチノイン酸(retinoic acid)、レチナール、パルミチン酸レチノール(retinyl palmitate)、酢酸レチノール(retinyl acetate)およびプロピオン酸レチノール(retinyl propionate)等のようなレチニル・エステル、等のような、レチノイド）、ビタミンＣおよびアスコルビン酸、アスコルビル・ホスフェート、パルミチン酸アスコルビル(ascorbyl palmitate)およびアスコルビル・グルコシド等のようなその誘導体、銅ペプチド、ラクトース、メリビオース(mellibiose)およびフルクトース等のような単純な糖類、およびこれらの混合物、を非限定的に含む。
【０１４９】
酵素の例は、パパイン、ブロメライン、ペプシン、およびトリプシン、を含む。
【０１５０】
適当な皮膚引き締め剤の例は、ジメチルアミノエタノール（dimethylaminoethanol）（「ＤＭＡＥ」）等のようなアルカノールアミン、を非限定的に含む。
【０１５１】
適当なかゆみ止めおよび皮膚保護薬の例は、オートミール、ベータ−グルカン、ナツシロギク、ダイズ製品（「ダイズ製品」とは、米国特許出願第２００２−０１６００６２号において記載されているような、ダイズから由来する物質を意味する）、重炭酸ソーダ、コロイド状オートミール、アナガリス・アルベンシス（Anagallis Arvensis）、エノテラ・ビエニス（Oenothera Biennis）、バーベナ・オフィシナリス（Verbena Officinalis）等、を含む。本明細書において用いられる場合に、コロイド状オートミールは、１号または２号のオートムギとして、米国基準に合う、全オートムギの粒の粉ひきおよびその後の処理により得られる粉末、を意味する。このコロイド状オートミールは、以下のような、すなわち、全体の粒子の３％以下のものが大きさにおいて１５０マイクロメートルを超えて、全体の粒子の２０％以下のものが大きさにおいて７５マイクロメートルを超えている、粒度分布を有している。適当なコロイド状オートミールの例は、Beacon Corporation（ケニルワース、ニュージャージー州）から入手可能な「Tech-O」およびQuaker（シカゴ、イリノイ州）から入手可能なコロイド状オートミール、を含むが、これらに限定されない。
【０１５２】
適当な反射剤の例は、雲母、アルミナ、ケイ酸カルシウム、ジオレイン酸グリコールグリコール(glycol dioleate)、ジステアリン酸グリコール(glycol distearate)、シリカ、ナトリウム・マグネシウム・フルオロシリケート、およびこれらの混合物、を非限定的に含む。
【０１５３】
皮膚黒色化剤の例は、ジヒドロキシアセトン(dihydroxy acetone)、エリスロース（erythulose）、メラニン、およびこれらの混合物、を非限定的に含む。
【０１５４】
適当な皮膜形成ポリマーは、乾燥時に、皮膚または爪の上に、実質的に連続的な被膜または皮膜を作るポリマー、を含む。適当な皮膜形成ポリマーの非限定的な例は、塩化アクリルアミドプロピル・トリモニウム（acrylamidopropyl trimonium chloride）／アクリルアミドのコポリマー、コーン・スターチ／アクリルアミド／アクリル酸ナトリウムのコポリマー、ポリクオタニウム−１０（polyquaternium-10）、ポリクオタニウム−４７（polyquaternium-47）、ポリビニルメチルエーテル／無水マレイン酸のコポリマー、スチレン／アクリレートのコポリマー、およびこれらの混合物、を含む。
【０１５５】
湿潤化およびコンディショニングの特性を与えることのできる、市場において入手可能な湿潤剤は、（ｉ）グリセリン、プロピレン・グリコール、へキシレン・グリコール、ブチレン・グリコール、ペンチレン・グリコール、ジプロピレン・グリコール、およびこれらの混合物を含む群から選択される、水溶性で液体のポリオール、（ｉｉ）化学式ＨＯ−（Ｒ″Ｏ）b −Ｈのポリアルキレン・グリコールであって、Ｒ″が約２〜約４個の炭素原子を有するアルキレン基であり、ｂが約１〜約１０の整数である、ＰＥＧ４等のような、ポリアルキレン・グリコール、（ｉｉｉ）化学式ＣＨ3 −Ｃ6 Ｈ10Ｏ5 −（ＯＣＨ2 ＣＨ2 ）c −ＯＨのメチル・グルコースのポリエチレン・グリコールであって、ｃが約５〜約２５の整数である、ポリエチレン・グリコール、（ｉｖ）尿素、（ｖ）フルクトース、（ｖｉ）グルコース、（ｖｉｉ）蜂蜜、（ｖｉｉｉ）乳酸、（ｉｘ）マルトース、（ｘ）グルクロン酸ナトリウム、および（ｘｉ）これらの混合物、を非限定的に含むが、グリセリンが典型的な湿潤剤である。
【０１５６】
適当なアミノ酸および誘導体は、種々の蛋白質の加水分解により誘導されるアミノ酸、ならびにこれらの塩、エステル、およびアシル誘導体、を含む。このようなアミノ酸の薬剤の例は、アルキルアミド・アルキルアミン等のような両性アミノ酸、すなわち、ステアリル・アセチル・グルタメート、カプリロイル・シルク・アミノ酸、カプリロイル・コラーゲン・アミノ酸、カプリロイル・ケラチン・アミノ酸、カプリロイル・ピー・アミノ酸、ココジモニウム・ヒドロキシプロピル・シルク・アミノ酸、コーン・グルテン・アミノ酸、システイン、グルタミン酸、グリシン、毛髪ケラチンアミノ酸、アスパラギン酸、トレオニン、セリン、グルタミン酸、プロリン、グリシン、アラニン、シスチン、バリン、メチオニン、イソロイシン、ロイシン、チロシン、フェニルアラニン、システイン酸、リジン、ヒスチジン、アルギニン、システイン、トリプトファン、シトルリン、リジン、シルク・アミノ酸、コムギ・アミノ酸、およびこれらの混合物、を非限定的に含む。
【０１５７】
適当な蛋白質は、長鎖、すなわち、少なくとも１０個の炭素原子、および高分子量、すなわち、少なくとも約１０００、を有するポリマー、を含み、アミノ酸の自己縮合により形成されている。このような蛋白質の非限定的な例は、コラーゲン、デオキシリボヌクレアーゼ、ヨウ素化コーン・蛋白質、乳蛋白質、プロテアーゼ、血清蛋白質、シルク、スウィート・アーモンド蛋白質、コムギ胚芽蛋白質、コムギ蛋白質、ケラチン蛋白質のアルファおよびベータらせん、中間フィラメント蛋白質等のような毛髪蛋白質、高濃度イオウ蛋白質、超高濃度イオウ蛋白質、中間フィラメント関連蛋白質、高濃度チロシン蛋白質、高濃度グリシン・チロシン蛋白質、トリコヒアリン（tricohyalin）、およびこれらの混合物、を含む。
【０１５８】
適当なビタミンの例は、チアミン、ニコチン酸、ビオチン、パントテン酸、コリン、リボフラビン、ビタミンＢ３、ビタミンＢ６、ビタミンＢ１２、ピリドキシン、イノシトール、カルニチン、を含む種々の形態のビタミンＢ複合体と、ビタミンＡパルミテートおよびプロ・ビタミン、例えば（すなわち、パンテノール（プロ・ビタミンＢ５）およびパンテノール・トリアセテート）およびこれらの混合物等のような、ビタミンＡ，Ｃ，Ｄ，Ｅ，Ｋおよびこれらの誘導体と、を含む。
【０１５９】
適当な抗菌剤の例は、バシトラシン、エリスロマイシン、ネオマイシン、テトラサイクリン、クロルテトラサイクリン、塩化ベンゼトニウム、フェノール、過酸化ベンジル、銀、銅、亜鉛等のような、金属塩または金属イオン、およびこれらの塩および混合物、を非限定的に含む。
【０１６０】
適当な皮膚軟化薬および皮膚湿潤化薬の例は、鉱油、ラノリン、植物油、イソステアリン酸イソステアリル(isostearyl isostearate)、 ラウリン酸グリセリル
(glyceryl laurate)、メチル・グルセス−１０（methyl gluceth-10）、メチル・グルセス−２０（methyl gluceth-20）、キトサン、およびこれらの混合物、を非限定的に含む。
【０１６１】
適当な毛髪柔軟剤の例は、不揮発性または揮発性のいずれかであるシリコーン化合物、および水溶性または非水溶性であるシリコーン化合物等のような、シリコーン化合物、を非限定的に含む。適当なシリコーンの例は有機置換型ポリシロキサンを含み、これらのポリシロキサンは、モノマーのシリコーン／酸素モノマーの、線形または環状のポリマーのいずれかであり、セチル・ジメチコーン、フタル酸ジメチコンコポリオールセチルトリエチルアンモニウム(cetyl triethylammonium dimethicone copolyol phthalate)、シクロメチコーン、ジメチコーン・コポリオール、ジメチコーン・コポリオール・ラクテート、加水分解ダイズ蛋白質／ジメチコーン・コポリオール・アセテート、シリコーン・クオタニウム１３（silicone quaternium 13）、ステアラルコニウム・ジメチコーン・コポリオール・フタレート、ステアラミドプロピル・ジメチコーン、およびこれらの混合物、を非限定的に含む。
【０１６２】
サンスクリーン剤の例は、ベンゾフェノン、ボルネロン、ブチルPABA（butyl paba）、塩化シンナミドプロピル・トリメチル・アンモニウム、ジスチリルビフェニル・二スルホン酸・二ナトリウム、ＰＡＢＡおよびその誘導体（オクチル・ジメチルＰＡＢＡ等）、ブチル・メトキシジベンゾイルメタン、イソアミル・メトキシシンナメート、メチル・ベンジリデン・カンファー、オクチル・トリアゾール、オクチル・メトキシ・シンナメート、オキシベンゾン、オクトクリレン、サリチル酸オクチル、ホモサラート(homosalate)、フェニルベンズイミダゾール・スルホン酸、エチル・ヒドロキシプロピル・アミノベンゾエート、アントラニル酸メンチル(menthyl anthranilate)、アミノ安息香酸、シノキセート、ジエタノールアミン・メトキシシンナメート、グリセリル・アミノベンゾエート、二酸化チタン、酸化亜鉛、オキシベンゾン、Padimate O、赤色ワセリン（red petrolatum）、MEXORYL SおよびSX、TINOSORB MおよびS、およびこれらの混合物、を非限定的に含む。
【０１６３】
皮膚白色化剤の例は、ヒドロキノン、カテコールおよびその誘導体、アスコルビン酸およびその誘導体、およびこれらの混合物、を非限定的に含む。
【０１６４】
適当な殺虫薬（駆虫薬、抗疥癬薬および抗しらみ剤の処理を含む）の例は、ペルメトリン、ピレスリン、ピペロニル・ブトキシド、イミダクロプリド、Ｎ，Ｎ−ジエチル・トルアミド、を非限定的に含み、このＮ，Ｎ−ジエチル・トルアミドは主にそのメタ異性体、すなわち、Ｎ，Ｎ−ジエチル−ｍ−トルアミド、を含有している材料を意味しており、このＮ，Ｎ−ジエチル−ｍ−トルアミドはＤＥＥＴとしても知られており、以下の化学式ＩＩＩの化合物である。
【化１】
2007520269.tif 000003
この場合に、
Ｒ5 は、約１個〜約６個の炭素原子を有している、分枝状または非分枝状のアルキル基であり、
Ｒ6 は、Ｈ、メチルまたはエチルであり、
Ｒ7 は、約１個〜約８個の炭素原子を有している、分枝状または非分枝状のアルキル基またはアルコキシ基であり、
Ｋは−ＣＮまたは−ＣＯＯＲ8 であり、この場合に、
Ｒ8 は、約１個〜約６個の炭素原子を有している、分枝状または非分枝状のアルキル基であり、
天然または合成のピレスロイドであり、この場合に、天然のピレスロイドは除虫菊、すなわち、キク科のシネラリアエフォリウム（Chrysanthemum cinerariaefolium）またはキク科のコッシネウム（Chrysanthemum coccineum）の地上に生える花の抽出物、およびこれらの混合物、の中に含有されている。上記の化学式ＩＩＩの構造の中に、エチル３−（Ｎ−ブチルアセトアミド）プロピオネートがあり、この場合に、Ｒ7 はＣＨ3 の基であり、Ｒ5 はｎ−ブチル基であり、Ｒ6 はＨであり、ＫはＣＯＯＲ8 であってＲ8 はエチルであり、この構造は、商品名を「Insect Repellent 3535」として、ドイツ、ダルムシュタットのMerck KGaAから市場において入手可能である。
【０１６５】
足用の製剤のための抗真菌薬の例は、トルナフテートおよびミコナゾール、を非限定的に含む。
【０１６６】
適当な脱毛剤の例は、チオグリコール酸カルシウム、チオグリコール酸マグネシウム、チオグリコール酸カリウム、チオグリコール酸ストロンチウム、およびこれらの混合物、を含む。
【０１６７】
外部鎮痛剤および局所鎮痛剤等のような適当な鎮痛剤の例は、ベンゾカイン、ジブカイン、ベンジル・アルコール、カンファー、カプシシン、カプシカム、カプシカム・オレオレシン、ジュニパータール油、メントール、ニコチン酸メチル、サリチル酸メチル、フェノール、レゾルシノール、テレビン油、およびこれらの混合物、を非限定的に含む。
【０１６８】
適当な制汗薬および消臭薬の例は、アルミニウム・クロロヒドレート（aluminium chlorohydrates）、アルミニウム・ジルコニウム・クロロヒドレート（aluminium zirconium chlorohydrates）、およびこれらの混合物、を非限定的に含む。
【０１６９】
適当な反対刺激薬の例は、カンファー、メントール、サリチル酸メチル、ペパーミントおよびチョウジ油、イクタモール、およびこれらの混合物、を非限定的に含む。
【０１７０】
適当な炎症抑制剤の例は、ヒドロコルチゾン、Fragaria Vesca、Matricaria Chamomilla、およびSalvia Officinalis、を非限定的に含む。
【０１７１】
適当な麻酔成分の例は、ベンゾカイン、塩酸プラモキシン、リドカイン、ベタカインおよびこれらの混合物、塩化ベンゼトニウム等のような消毒薬、酸化亜鉛、次没食子酸ビスマス、ペルー・バルサム、およびこれらの混合物等のような収れん薬、酸化亜鉛、シリコーン油、ワセリン、タラ肝油、植物油、およびこれらの混合物、を非限定的に含む。
【０１７２】
ふけ、脂漏性皮膚炎、および乾癬、ならびにこれらに付随する症状の治療において有効である適当な有益な薬剤の例は、ジンク・ピリチオン、アントラリン、シェール油（頁岩油）およびスルホン酸塩化シェール油（頁岩油）等のようなその誘導体、硫化セレン、イオウ、サリチル酸、コール・タール、ポビドン−ヨード、ケトコナゾール等のようなイミダゾール、ジクロロフェニル・イミダゾロジオキサラン（「エルビオール（elubiol）」）、クロトリマゾール、イトラコナゾール、ミコナゾール、クリンバゾール、チオコナゾール、スルコナゾール、ブトコナゾール、フルコナゾール、硝酸ミコナゾールおよびこれらの任意の可能な立体異性体および誘導体、ピロクトン・オラミン（オクトピロックス（Octopirox））、シクロピロックス・オラミン、例えば、カルシポトリオール、カルシトリオール、およびタカレイトロール等のビタミンＤ類似体等のような抗乾癬剤、例えば、ビタミンＡ・パルミテートおよびビタミンＡ・アセテート等のビタミンＡのエステル、プロピオン酸レチノール、レチンアルデヒド、レチノール、およびレチノイン酸等のようなビタミンＡ類似体、ヒドロコルチゾン、酪酸クロベタゾン、プロピオン酸クロベタゾール、メントール、塩酸プラモキシン等のコルチコステロイド（副腎皮質ステロイド）、およびこれらの混合物、を非限定的に含む。
【０１７３】
脱毛を治療するために適している有益な薬剤の例は、ミノキシジル、ジアゾキシド、およびＮ* −シアノ−Ｎ−（tert−ペンチル）−Ｎ’−３−ピリジニル−グアニジン（「Ｐ−１０７５」）等のようなカリウム・チャネル開口薬(potassium channel openers)または抹消血管拡張薬、ノコギリパルメット抽出物、ビタミンＥおよびビタミンＣ、およびビタミンＥ・アセテートおよびビタミンＣ・パルミテート等のようなこれらの誘導体、を含むビタミン、エリスロポイエチン等のようなホルモン、プロスタグランジンＥ１およびプロスタグランジンＦ２−アルファ等のようなプロスタグランジン、オレイン酸等のような脂肪酸、スピロラクトン等のような利尿薬、ＨＳＰ２７およびＨＳＰ７２等のような熱ショック蛋白質（「ＨＳＰ」）、塩酸ベラパミル、ニフェジピン、およびジルチアゼマミロリド(diltiazemamiloride)等のようなカルシウム・チャネル遮断薬、シクロスポリンおよびＦｋ−５０６等のような免疫抑制薬、フィナステリド等のような５-αリダクターゼ阻害剤、ＥＧＦ、ＩＧＦおよびＦＧＦ等のような増殖因子、トランスフォーミング増殖因子β、腫瘍壊死因子、ベノキサプロフェン等のような非ステロイド系抗炎症剤、レチナールおよびトレチノイン等のようなレチノイド、ＩＬ−６（インターロイキン６）、ＩＬ−１α（インターロイキン１α）、およびＩＬ−１β（インターロイキン１β）等のようなサイトカイン、ＩＣＡＭ等のような細胞接着分子、ベタメタゾン等のようなグルココルチコイド、アロエ、チョウジ、チョウセンニンジン、ジオウ、センブリ（swertia）、スイート・オレンジ、サンショウ、ノコギリヤシ（Serenoa repens）（ノコギリパルメット(saw palmetto)）、ヒポキシス・ルーペリ（Hypoxis rooperi）、トゲイラクサ(stinging nettle)、カボチャの種、およびライムギの花粉等のような植物抽出物、ビャクダン、赤カブの根、キク、ローズマリー、ゴボウの根、およびその他の毛髪成長促進活性薬を含む他の植物抽出物、カリウム・ホスホリカム・Ｄ２（Kalium Phosphoricum D2）、アザジラクタ・インディカ・Ｄ２（Azadirachta indica D2）、およびジョボランジＤＩ（Joborandi DI）等のようなホメオパシー剤、サイトカイン、増殖因子、および男性型はげに対応する遺伝子、ケトコナゾールおよびエルビオール等のような抗真菌薬、ストレプトマイシン等のような抗生物質、シクロヘキシミド等のような蛋白質抑制剤、アセタゾラミド、ベノキサプロフェン、コルチゾン、ジルチアゼム、ヘキサクロロベンゼン、ヒダントイン、ニフェジピン、ペニシラミン、フェノチアジン、ピナシジル、ソラレン、ベラパミル、ジドブジン、以下のルチン、すなわち、ケルセチン、イソケルセチン(isoquercitrin)、ヘスペジン(hespeddin)、ナリンジン(naringin)、およびメチルヘスペリジン、およびこれらのフラボノイドおよびトランスグリコシド化誘導体の内の少なくとも１種類ルチンを含むα−グルコシル化ルチン、およびこれらの混合物、を含むが、これらに限定されない。
【０１７４】
毛髪の成長を抑制することにおいて使用するために適している有益な薬剤の例は、トリプシン等のようなセリン・プロテアーゼ、アルファ−トコフェロール（ビタミンＥ）等のようなビタミンおよび、酢酸トコフェロールおよびパルミチン酸トコフェロール等のようなそれらの誘導体、ドキソルビシン、シクロホスファミド、クロルメチン、メトトレキサート(methotrexate)、フルオロウラシル、ビンクリスチン、ダウノルビシン(daunorubicin)、ブレオマイシンおよびヒドロキシカルバミド等のような抗腫瘍剤、ヘパリン、ヘパリノイド、クマリン、デトラン（detran）およびインダンジオン（indandiones）等のような抗凝固薬(anticoagulants)、ヨウ素、チオウラシルおよびカルビマゾール等のような抗甲状腺薬、リチウムおよび炭酸リチウム、インターフェロン・α、インターフェロン・α−２ａおよびインターフェロン・α−２ｂ等のようなインターフェロン、レチノール（ビタミンＡ）、イソトレチノイン等のようなレチノイド、ベタメタゾンおよびデキサメタゾン等のようなグルココルチコイド、トリパラノールおよびクロフィブレート等のような抗高脂血症薬、タリウム、水銀、アルベンダゾール（albendazole）、アロプリノール、アミオダロン、アンフェタミン、アンドロゲン、ブロモクリプチン、ブチロフェノン、カルバマゼピン、コレスチラミン、シメチジン、クロフィブレート、ダナゾール、デシプラミン、ジキシラジン、エタンブトール、エチオナミド（etionamide）、フルオキセチン（fluoxetine）、ゲンタマイシン、金塩、ヒダントイン、イブプロフェン、インプラミン（impramine）、免疫グロブリン、インダンジオン（indandiones）、インドメタシン、イントラコナゾール、レボドパ、マプロチリン、メチセルジド、メトプロロール、メチラポン、ナドロール、ニコチン酸、チオシアン酸カリウム、プロプラノロール、ピリドスチミン(pyridostimine)、サリチル酸塩、スルファサラジン、テルフェナジン、チアンフェニコール、チオウラシル、トリメタジオン、トロパラノール(troparanol)、バルプロ酸、およびこれらの混合物、を含む。
【０１７５】
適当な老化防止剤の例は、酸化チタンおよび酸化亜鉛等のような無機のサンスクリーン剤、オクチル・メトキシ・シンナメートおよびこれらの誘導体等のような有機のサンスクリーン剤、レチノイド、銅含有ペプチド、ビタミンＥ、ビタミンＡ、ビタミンＣ、ビタミンＢ、およびビタミンＥ・アセテート、ビタミンＣ・パルミテート等のようなそれらの誘導体を含むビタミン、ベータカロテンを含む抗酸化物質、グリコール酸、クエン酸、乳酸、リンゴ酸、マンデル酸、アスコルビン酸、アルファ・ヒドロキシ酪酸、アルファ・ヒドロキシイソ酪酸、アルファ・ヒドロキシイソカプロン酸、アトロラクチン酸(atrrolactic acid)、およびアルファ・ヒドロキシイソ吉草酸等のようなアルファ・ヒドロキシ酸、ピルビン酸エチル、ガラクツロン酸(galacturonic acid)、グルコヘプトン酸(glucoheptonic acid)、グルコヘプトノ１，４−ラクトン、グルコン酸、グルコノラクトン、グルクロン酸、グルクロノラクトン、グリコール酸、イソプロピル・ピルビン酸塩、ピルビン酸メチル、粘液酸、ピルビン酸、糖酸、糖酸１，４−ラクトン、酒石酸およびタルトロン酸、ベータ・ヒドロキシ酪酸、ベータ・フェニル乳酸、ベータ・フェニルピルビン酸等のようなベータ・ヒドロキシ酸、ポリフェノール、緑茶、ダイズ製品、オオアザミ（マリアアザミ(milk thistle)）、藻類、アロエ、アンゼリカ、ダイダイ、コーヒー、ミツバオウレン（オウレン(goldthread)）、グレープフルーツ、ブクリョウ(hoellen)、スイカズラ、ジュズダマ(Job's tears)、リソスペルマム（lithospermum）、クワ、シャクヤク(peony)、クズ（puerarua）、ナイス（nice）、ベニバナ等、およびこれらの混合物、を含むが、これらに限定されない。
【０１７６】
適当な抗アクネ剤の例は、局所用レチノイド（トレチノイン、イソトレチノイン、モトレチニド（motretinide）、アダパレン（adapalene）、タザロテン（tazarotene）、アゼライン酸、レチノール）、サリチル酸、過酸化ベンゾイル、レゾルシノール、テトラサイクリンおよびその異性体、エリスロマイシン等のような抗生物質、イブプロフェン、ナプロキセン、ヘトプロフェン(hetprofen)等のような抗炎症剤、アルナス（alnus）、ウサギギク(arnica)、カワラヨモギ(artemisia capillaris)、サイシン(asiasarum root)、バー（birrh）、キンセンカ、カミツレ、クニディウム(cnidium)、コンフリー、ウイキョウ、ガラ・ロイス（galla rhois）、サンザシ、ドクダミ（houttuynia）、オトギリソウ(hypericum)、ナツメ、キウイ、リコリス(licorice)、モクレン、オリーブ、ペパーミント、フィロデンドロン、サルビア、クマザサ（sasa albo-marginata）、ケトコナゾールおよびエルビオール等のようなイミダゾール、を含むが、これらに限定されない。
【０１７７】
適当な脱色剤の例は、ダイズ製品、レチノール等のようなレチノイド、コウジ酸および、例えば、コウジ・ジパルミテート等のようなその誘導体、ヒドロキノンおよびアルブチン等のようなその誘導体、トラネキサム酸(transexamic acid)、ナイアシン、ビタミンＣおよびその誘導体等のようなビタミン、アゼライン酸、プラセルチア（placertia）、カンゾウ、カミツレおよび緑茶等のような抽出物、およびこれらの混合物、を含むが、これらに限定されず、レチノイド、コウジ酸、ダイズ製品、およびヒドロキノンが特に適している例である。
【０１７８】
適当な痔薬製品の例は、ベンゾカイン、塩酸プラモキシン、およびこれらの混合物等のような麻酔薬、塩化ベンゼトニウム等のような消毒薬、酸化亜鉛、次没食子酸ビスマス、ペルー・バルサム、およびこれらの混合物等のような収れん薬、タラ肝油等のような皮膚保護薬、植物油、およびこれらの混合物、を含むがこれらに限定されない。
【０１７９】
血管拡張薬の例は、ミノキシジル、ジアゾキシド、およびＮ* −シアノ−Ｎ−（tert−ペンチル）−Ｎ’−３−ピリジニル−グアニジン（「Ｐ−１０７５」）等のような化合物、を含むが、これらに限定されない。
【０１８０】
適当な光沢調整剤の例は、含水シリカ（ケイ酸 (hydrated silica)）、カオリン、ベントナイト、を含むが、これらに限定されない。適当な抗ヒスタミン薬の例は、塩酸ジフェニルヒドラミン、を含むが、これに限定されない。また、適当な抗感染薬の例は、塩化ベンザルコニウム、ヘキサミジン、および過酸化水素、を含むが、これらに限定されない。適当な創傷治癒促進薬の例は、キトサンおよびその誘導体、を含むがこれらに限定されない。また、適当なツタウルシおよびウルシ用製品の例は、ベントナイト、ヒドロコルチゾン、メントール、およびリドカイン、を含むが、これらに限定されない。やけど用製品の例は、ベンゾカインおよびリドカイン、を含むが、これらに限定されない。適当なおむつかぶれ防止用製品の例は、酸化亜鉛およびワセリン、を含むが、これらに限定されない。また、適当な紅色汗疹用製品の例は、酸化亜鉛、を含むが、これに限定されない。適当なセンセートの例は、メントール、芳香剤、およびカプサイシン、を含むが、これらに限定されない。
【０１８１】
装置１００と共に使用するために特に適する可能性のある有益な薬剤は、ＤＭＡＥ、ダイズ製品、コロイド状オートミール、スルホン酸化シェール油、オリーブの葉、エルビオール、６−（１−ピペリジニル）−２，４−ピリミジンジアミン−３−オキシド、フィナステリド、ケトコナゾール、サリチル酸、ジンク・ピリチオン、コール・タール、過酸化ベンゾイル、硫化セレン、ヒドロコルチゾン、イオウ、メントール、塩酸プラモキシン、塩化トリセチルモニウム、ポリクオタニウム−１０（polyquaternium-10）、パンテノール、パンテノール・トリアセテート、ビタミンＡおよびその誘導体、ビタミンＢおよびその誘導体、ビタミンＣおよびその誘導体、ビタミンＤおよびその誘導体、ビタミンＥおよびその誘導体、ビタミンＫおよびその誘導体、ケラチン、リジン、アルギニン、加水分解コムギ蛋白質、銅含有ペプチドおよび銅塩等のような銅含有化合物、加水分解シルク蛋白質、オクチル・メトキシ・シンナメート、オキシベンゾン、アボベンゾン、ミノキシジル、ノコギリパルメット抽出物、二酸化チタン、二酸化亜鉛、レチノール、エリスロマイシン、トレチノイン、およびこれらの混合物、を含む。
【０１８２】
装置１００と共に使用するために特に適する可能性のある有益な薬剤は、ネオ−コラーゲン・プロモータ（例えば、レチナールおよび銅含有ペプチドのようなレチノイド）、皮膚引き締め剤（例えば、ＤＭＡＥ）、および脱色剤（例えば、ダイズ）、を含む。
【０１８３】
使用可能である有益な薬剤の量は、例えば、皮膚または爪を通して浸透するための有益な薬剤の能力、選択される特定の有益な薬剤、望まれる特定の有益な効果、有益な薬剤に対する使用者の感度、健康状況、年齢、および使用者の皮膚および／または爪の状況等、に応じて変更可能である。要するに、上記の有益な薬剤は「安全で有効な量」で用いられ、この量は、望まれる皮膚または爪の有益な効果を送達するために、または治療される特定の状況を変えるために、十分に多いが、確かな医療判断の範囲内において、有益な効果の割合に対してあまり高くない危険性で、深刻な副作用を避けるために十分に低い。
【０１８４】
上記の有益な薬剤は、一定の組成物（例えば、液体、エマルジョン、クリーム等）に、別の成分と共に、調合、混合、または配合でき、この場合に、その別の成分は有益な薬剤の官能性を損なわない。皮膚の中への１種類以上の有益な薬剤の吸収を促進させる送達剤は、その機能を果たすために、有益な薬剤と共に配合できる。適当な送達物質、例えば、スルホキシド、エタノール等のようなアルコール、例えば、リノール酸またはオレイン酸等のような、脂肪酸、例えば、脂肪族エステル、はＣ３〜Ｃ１０のカルボン酸を、角質層を通る皮膚のさらに深い層の中への種々の有益な薬剤の浸透を促進させるために適することが当業界において知られている薬剤の中でも、Ｃ１０〜Ｃ２０の脂肪族アルコール、ポリオール、アルカン、アミン、アミド、テルペン(turpene)、界面活性剤、シクロデキストリンまたはこれらの組み合わせ物、と共に反応させることにより製造可能である。
【０１８５】
上記の組成物の中における有益な薬剤の濃度は変更可能である。本明細書において他に表されていない限りにおいて、一般的に、上記の有益な薬剤は、上記の組成物／システムの全重量に基いて、約０．０１パーセント〜約２０パーセント、例えば、約０．０１パーセント〜約５パーセント（例えば、約０．０１パーセント〜約１パーセント）、の量で上記の組成物中に存在している。
【０１８６】
上記の有益な薬剤を含有している組成物は既に記載されているような伝達用の組成物としても役立ち、その組成物が上記の機能の内の一つを有することを可能にする成分を含んでいてよい。
【０１８７】
診断補助システム
一例の実施形態において、診断補助システム１０７は本発明における装置と共に用いられている。この診断補助システム１０７は、例えば、皮膚の弾性等のような機械的な特性を測定すること、含水量およびｐＨ等のような化学機械的な特性を測定すること、あるいは発光して皮膚１０２の一定の広がりの部分により反射または発光される放射線の種々の波長を検出すること、により、皮膚の状況を診断するために、皮膚１０２の一定の広がりの部分を用いる、電子的な皮膚状況診断システムである。この診断補助システム１０７は、皮膚の特徴および特性の中でも、隆起に付随する特徴または画像、例えば、目じりのしわ等の小じわおよびしわ、皮膚組織のその他の状態および表面の粗さ、鱗屑、うぶ毛、紅斑（赤み）、血管の隆起および画像化、色素沈着した斑点、色素斑等のような色素沈着、バクテリアのアクネ桿菌（P. acnes）により生成されるコプロポリフィリンの分布、を含むが、これらに限定されない、１種類以上の特性または特徴を、画像化および／またはこれ以外の様式により特徴付けるために使用できる。
【０１８８】
本発明の一例の実施形態において、上記の診断補助システムは小形デジタル・カメラを含んでいる。このデジタル・カメラは外殻部１１５（図２Ａおよび図２Ｂにおいて仮想線で示されている）の中に置かれていてよい。例えば、上記のデジタル・カメラは皮膚接触可能な表面から分離されている孔を有することができ、この孔を通して、画像が集中されて、このデジタル・カメラに付随していて、同様に外殻部１１５の中にある、メモリ記憶装置の上に記録できる。
【０１８９】
上記の診断システム１０５およびその要素の詳細は米国特許出願第２００３００８６７０３ Ａ１号および米国特許出願第２００３０１３８２４９ Ａ１号に対する参照において見られる。また、この診断システム１０５は、例えば、受容要素２５５を介して、装置１００に連通できる。
【０１９０】
使用の方法
上記の装置１００およびシステム１を使用する以下の方法は、本明細書において記載されている本発明の実施形態において、一貫している。注釈がつけられている場合を除いて、工程における特定の順番は全く含まれていない。また、種々の方法の工程は、皮膚の治療等のような、種々の結果を達成するために、同時にまたは種々の順序で、行なわれてよい。
【０１９１】
外部診断補助システム１０７が用いられている本発明の実施形態において、この外部診断補助システム１０７は被験者における皮膚１０２の一定の広がりの部分の一つ以上の特性の状態を評価するために用いられる。
【０１９２】
専門の皮膚科医、研究者または技術者等のような訓練された専門家は、被験者に治療法の推奨を作るために、診断補助システム１０７からの結果を使用できる。この推奨は、特定の装置向上剤、有益な薬剤、皮膚接触可能な要素、振幅、周波数および／または波形を選択すること、または多数の補助表面５０２，５０４（図５Ａ〜図５Ｂにおいて示されている）の間に設定される位相差の選択、ならびに適当な検出部２７０をできるだけ選択すること、により、ユーザー出力システム１０４を適合させること、に関連している。上記の診断補助システム１０７はまた、上記の要素の任意の組み合わせのための推薦状を与えることにも役立つ可能性がある。あるいは、この診断補助システム１０７は、当該診断補助システム１０７により得られる情報（例えば、画像またはその他のデータ）に基いて推奨を与えるようにプログラムされているデータベース／エキスパート・システム、に連結されていてもよい。
【０１９３】
上記の診断補助システム１０７の使用により得られる推奨は、以下において説明されているように、一つの要素に関連している推奨が、別の要素とバランスを保つか、これを補うか向上させることが可能であるということにおいて、互いに関係づけることができる。例えば、診断補助システム１０７が最小のアクネを検出しているが、高度に集中して深刻なしわを検出している場合には、高強度の波形（例えば、２．５ｍｍの振幅および３０００サイクル／分、を伴う、図１０Ｂにおいて示されている波形１００２等）を含む治療等のような、攻撃的で高い強度の治療が望ましくなる可能性がある。この場合に、低刺激性の皮膚接触可能な表面１０６（例えば、図６Ａにおいて示されているような平滑なガラス・ビーズを伴っている表面）は、したがって、上記の高強度の波形とバランスを保つ。あるいは、上記の推奨は、高エネルギーの波形の作用とバランスを保つ代わりに、その作用を向上させるために、高刺激性の皮膚接触可能な表面１０６（例えば、鋼玉のまたはその他のざらざらした磨耗性を伴う皮膚接触可能な表面）、を含んでいてもよい。
【０１９４】
別の例として、診断補助システム１０７が赤みを検出しているが、アクネまたはしわを全く検出していない場合には、レチノールやヒドロキノン等のような有益な薬剤が、穏やかな波形（例えば、２ｍｍの振幅および１０００サイクル／分の周波数、を伴う、図１０Ｃにおいて示されている波形１００４等）と、凹部を有していて研磨材を全く有していない、図６Ｄにおいて示されているような、低刺激性の皮膚接触可能な要素１０５と共に選択されてもよい。
【０１９５】
本発明の別の実施形態において、例えば、皮膚１０２の表面温度をモニターするために熱センサーを含んでいる検出部２７０を含むことが望ましい場合（皮膚接触可能な表面１０６におけるざらざらした研磨材を用いる治療が望ましいと考えられる場合）には、熱伝導性である（例えば、アルミナを含有している）特定の伝達用の組成物がその熱センサーを補うために推奨できる。
【０１９６】
上記の例は、一つの要素の推奨が、別の推奨されている要素とバランスを保つか、これを補うか向上させることが可能になる方法に関する例としてのみ役立つことを、表している。これらの１種類以上の推奨されている要素の決定において考慮できる別の属性を含むが、これらに限定されない。これらの要素は、とりわけ、「有益な薬剤」の部分において上述されているような１種類以上の有益な効果を与えるための能力、鎮痛特性、潤滑性、表面活性または表面張力、磨耗、化学的適合性、薬剤が皮膚１０２に送達できる速度、薬剤の粘弾性特性、発熱性／吸熱性の特性、等のような、それらの１種類以上の組成物または皮膚接触可能な要素１０５の種々の特性、を含む。
【０１９７】
一例の実施形態において、皮膚接触可能な表面１０６に対して皮膚１０２を接触させる前に、その皮膚１０２の一定の広がりの部分に前処理用の組成物が供給される。この前処理用の組成物は、皮膚１０２の一定の広がりの部分を皮膚接触可能な表面１０６に接触させる前に、その皮膚１０２の一定の広がりの部分に供給される。この前処理用の組成物は「装置向上剤」の部分において上述されているように、伝達用または均質化の特性、を有していてよい。また、この前処理用の組成物は、手によるか、薬品送達補助組立体１８０により、供給できる。
【０１９８】
本発明の一例の実施形態において、例えば、上記の装置１００等のような、皮膚治療装置が提供されている。この装置１００は、例えば、外部電源（必要とされる場合）にこの装置を差し込むか、エネルギー貯蔵要素１３５から電力を供給するために、キーパッド上のスイッチを単に選択することにより、エネルギー供給される。
【０１９９】
使用者はスイッチ（例えば、入力装置２６０の部品）をオン位置にすることにより、エネルギー貯蔵要素１３５からモータ１３０に電力を供給し、これにより、伝達部材１２５を、例えば、固定されたまたは可変の周波数で、一つ以上の方向に、移動させる。周期的な動作が伝達部材１２５から皮膚接触可能な表面１０６に伝達される。使用者はその後、この皮膚接触可能な表面１０６を被験者の皮膚の一定の広がりの部分に接触させる。この皮膚接触可能な表面１０６は、これにより、その皮膚の一定の広がりの部分を横切って移動して（すなわち、位置を変えて）、１種類以上の皮膚の有益な効果を与えることが可能になる。
【０２００】
装置１００が受容要素２５５を含んでいる本発明の実施形態において、使用者は、キーパッド上の選択を行ない、さらに／または、標準ポート２５０にコンピュータ読取可能なメディアを挿入することにより、上記装置に情報を与えることができる。この受容要素２５５は、これにより、ユーザー属性データを受け取る。この受容要素２５５に連結されているコントローラ２４０は当該受容要素２５５からデータを受け取り、このデータに基いて、動作の命令をユーザー出力組立体１０４に与える。例えば、使用者は、適当な皮膚接触可能な表面１０６の動作を特定の被験者に合わせる、特定の電流および／または電圧の波形あるいは特定の組成物の送達を行なうために、コントローラ２４０をプログラムできる。コントローラ２４０のプログラム処理の間に使用者が考慮してよいファクターは、例えば、使用者の皮膚の種類、年齢、肥満度指数(体型指数)、皮膚の状況、地球上の場所、年間の時季、皮膚の感度、皮膚の弾性、および選択された有益な薬剤の組成物、である。コントローラ２４０がプログラムされて、使用者が装置１００の使用において指示されると、その使用者は自分の治療を行なうことが可能になる。
【０２０１】
例えば、使用者がＩ型（常に日焼けしている）として分類される皮膚の型を入力すれば、コントローラ２４０は、比較的に積極的な若返りの有益な効果を与えるために、高い強度の波形（例えば、波形１００２）を選択できる。これに対して、使用者がＩＶ型（黒い）として分類される皮膚の型を入力すれば、必要とされる若返りの程度が比較的に小さいので、コントローラは、波形１００４等のような、穏やかな波形を選択できる。同様に、使用者が「弱っている(poor)」（例えば、しわの高度な集中）として皮膚の状況を入力すれば、コントローラ２４０により供給される関連の波形は高い強度のものでよい。このことは、「良好である(good)」として皮膚の状況を入力した場合に対する対照となり、この「良好である」という状況を、コントローラ２４０は低い強度の波形を必要としているものとして解釈できる。
【０２０２】
同様に、コントローラ２４０は、使用者が、比較的に高い年齢、比較的に高い肥満度指数(体型指数)（ｂｍｉ）、赤道に近い地球上の場所、真夏に最も近い年間の時季、および／または低度の皮膚の感度、を入力すると、波形を強めるようにプログラムされてもよい。
【０２０３】
皮膚の種類、年齢、肥満度指数(体型指数)等のような、受容要素２５５からの種々の入力はコントローラにより同等に重み付けされてもよく、一定のアルゴリズムに従って等しくなく重み付けされてもよい。
【０２０４】
受容要素２５５について上述されている様式と同様の様式で、装置１００が検出部２７０を含んでいる本発明の実施形態において、検出部２７０からのデータはコントローラ２４０に伝達されて、単独または受容要素２５５からの情報と共に、処理できる。その後、この情報に基く動作命令を、機械エネルギー補助組立体１１２、薬品送達補助組立体１８０またはインジケータ２４５、に送ることが可能になる。
【０２０５】
例えば、検出部２７０は、紫外（ＵＶ）光源と、皮膚１０２から反射可能である紫外光に敏感に感応する１個以上の光ダイオードとを含んでいてよい。この場合に、多量の反射された紫外光が皮膚１０２の一定の広がりの部分から検出されると、コントローラは、アクネ病変部位が存在しているとして、この結果を解釈できる。したがって、上記の波形の振幅および／または周波数は、コントローラ２４０からモータ１３０に送られる動作命令により、（その病変部位を破裂させないように）減少させることができる。
【０２０６】
本発明のさらに別の実施形態において、検出部２７０は、皮膚上の化学的な成分の変性中に生成される可能性のある生成物等のような１種類以上の化学的な成分の、ｐＨ値または存在または濃度、を感知して、適宜に上記の波形を変更する。同様に、検出部２７０により与えられる情報に基いて、薬品送達システム１８０の中に含まれている１種類以上の組成物に付随する分配速度を選択または変更するために（例えば、薬品送達システム１８０の弁１８１を開閉する処理を含む）、その薬品送達システム１８０に信号を送ることができる。
【０２０７】
例えば、上記の検出部が約４．０〜約５．５の範囲から外れているｐＨ値を検出すると、弁１８１は、ヒドロキシ酸の治療剤が皮膚接触可能な表面１０６に輸送されることを可能にするように、開くことができる。
【０２０８】
再び、図９において、本発明の一例の実施形態によれば、適当な出力（例えば、波形または薬品送達）を実施するように、受容要素２５５および検出部２７０により与えられる情報を利用するために、種々の工程が、コントローラ２４０の動作をソフトウェアで管理することにより、実行可能である。このソフトウェアはＥＰＲＯＭ１１１２およびマイクロコントローラ１１１６の中に記憶されている。また、装置１００にロードするための外部データが存在すれば、使用者はそのデータを外部インターフェース２５５からＲＡＭ１１１０にロードする。この外部データ供給源は、コンピュータシステム、手持形コンピュータ装置、またはＵＳＢポート、ＲＳ−２３２連結装置、またはその他の手段によりコントローラ２４０に接続される他のデータ供給源であってよい。また、上記の外部データは、例えば、ユーザー属性データであってよい。あるいは、この外部データは一組の命令（データ）であってよく、例えば、一定の波形、有益な薬剤または伝達用の組成物の選択、またはコントローラ２４０により実行される時間依存性の薬品送達プログラム、を直接的に特定できる。
【０２０９】
マイクロコントローラ１１１６は、検出部２７０から供給されたセンサー・データが存在しているか否かを決定するために、センサー入力１１０２をモニターする。この結果、センサー２７０から供給されたセンサー・データが存在していれば、Ａ／Ｄ変換器１１０４はそのアナログ・センサー・データをデジタル形式に変換し、マイクロプロセッサ１１１６はセンサー入力１１０２からデジタル・センサー・データを検索する。その後、マイクロコントローラ１１１６は、検索されたセンサー・データに基いて、ＲＡＭ１１１０の中にロードされている波形データを変更する。この場合に、例えば、検出部２７０が温度データを指示し、皮膚接触可能な要素１０５における温度が所定の限界値を超えていることを、検索されたセンサー・データが指示すると、マイクロコントローラ１１１６は、波形の実行時に、モータ１３０に送達される電力が、例えば、減少されるように、波形のプロファイルを変更できる。
【０２１０】
検出部２７０から供給されるセンサー・データが全く無ければ、マイクロコントローラ１１１６は、例えば、ＲＡＭ１１１０からのカスタマイズされた波形データを検索して、モータ・コントローラ領域１１１８の各要素に、モータ１３０に対して対応する電流および電圧のプロファイルを送達することによりその波形を実行するように命令する。例えば、マイクロコントローラ１１１６は、ＩS １１３６に、第１の時間の区間にわたりモータ１３０に送達される電流を一定比で増加し、特定時間の区間にわたり特定周波数において一定の電流を送達し、最終の電流値まで電流を一定比で減少させるように、命令できる。
【０２１１】
装置１００にロードする外部データが全く無いことが決定されると、マイクロプロセッサ１１１６は、ＲＡＭ１１１０の中から選択される２個以上の波形プロファイルが存在するか否か、を決定する。この結果、ＲＡＭ１１１０の中から選択される２個以上の波形プロファイルが存在すれば、マイクロプロセッサ１１１６は、インジケータ・ドライバ１１０８を用いて、使用者に、適当な波形プロファイルを選択するように促す。選択を行なう場合に、使用者は入力装置２６０を動作させて、マイクロコントローラ１１１６は入力コントローラ１１０６にデータを受け取るように命令する。この入力データはマイクロコントローラ１１１６に伝達され、このマイクロコントローラ１１１６は、当該マイクロコントローラ１１１６を、モータ１３０を駆動させてインジケータ２４５からのデータを使用するように、導くように、ＥＰＲＯＭ１１１２の中のプログラムにより実行される適当な波形プロファイルをＲＡＭ１１１０から選択する。
【０２１２】
機械的エネルギーを用いて皮膚を治療する方法は、幾つかの状態の内の一つが生じるまでの一定時間の期間にわたり、継続できる。例えば、使用者は、とりわけ、任意のファクターに基いて、処理を停止するための信号を供給するインジケータ２４５からの信号に基いて、皮膚接触可能な要素１０５の中の信号マーカー８１０からの信号に基いて、コントローラを制御するソフトウェアにより予め決定できるようなモータ１３０を停止するための信号を供給するコントローラ２４０に基いて、あるいは、検出部２７０または受容要素２５５から供給される情報に基いて、処理を終了することを決定できる。
【０２１３】
機械的なエネルギーにより皮膚を治療する処理を終了する場合に、後治療用の組成物（例えば、潤滑性または湿潤化用の組成物）および／または有益な薬剤を皮膚１０２の一定の広がりの部分に供給してもよい。このような有益な薬剤は、装置１００による治療の完了から、約１２時間の期間内（例えば、好ましくは、約３０分以内、さらに、約５分以内）に、後治療として、適用できる。
【０２１４】
有益な薬剤による後治療は、上記の装置の機械的な治療により与えることのできる有益な効果が剥離の近辺に集中されるということにおいて、特に有益である。このような有益な薬剤による後治療により、信号変換、直接的刺激、および細胞変形等のような異なるメカニズムにより作用する特定の有益な薬剤において、機械的な治療を単独で用いる有益な効果の、さらに速やかな発生および高程度での効果が見込まれる。このような後治療のために特に適している有益な薬剤はレチノイド（例えば、レチノール）、銅含有物（例えば、銅含有ペプチド）、皮膚引き締め剤（例えば、ＤＭＡＥ等のようなアルカノールアミン）、および脱色剤（例えば、ダイズ抽出物）、を含む。
【０２１５】
以上において、本発明はその詳細な説明と共に記載されているが、上記の説明は例証することを意図していて、本発明の範囲を限定することを目的としていないことが理解されるべきである。すなわち、本発明は添付の特許請求の範囲の各請求項の範囲により定められている。また、他の態様、利点、および変更もこれらの各請求項の範囲内である。
【０２１６】
〔実施の態様〕
（１）皮膚の一定の広がりの部分に、皮膚に対して有益な薬剤を投与する方法において、
（ａ）前記皮膚の一定の広がりの部分を、皮膚に対して有益な薬剤に、接触させる過程と、
（ｂ）前記皮膚の一定の広がりの部分の上の、皮膚に対して有益な薬剤を、約０．２Ｗよりも大きい、前記皮膚に対する出力を有する装置に、接触させる過程と、
を含み、
前記装置は、
（ｉ）皮膚接触可能な表面を有する皮膚接触可能な要素と、
（ｉｉ）モータと、
（ｉｉｉ）前記皮膚接触可能な表面に周期的な動作を与えるために、前記モータから前記皮膚接触可能な要素に機械的なエネルギーを伝達するための伝達部材と、を備えており、
前記皮膚接触可能な表面は、前記皮膚に対して有益な薬剤に接触する、方法。
（２）皮膚の一定の広がりの部分に皮膚に対して有益な薬剤を投与する方法において、
（ａ）前記皮膚の一定の広がりの部分を装置に接触させる過程であって、前記装置が
（ｉ）皮膚接触可能な表面を有する皮膚接触可能な要素と、
（ｉｉ）モータと、
（ｉｉｉ）前記皮膚接触可能な表面に周期的な動作を与えるために、前記モータから前記皮膚接触可能な要素に機械的なエネルギーを伝達するための伝達部材と、を備えている、過程と、
（ｂ）前記皮膚の一定の広がりの部分を前記装置に接触させる過程が終わった後に、その皮膚の一定の広がりの部分を有益な薬剤にさらに接触させる過程と、
を含み、
前記有益な薬剤は、レチノイド、銅含有物、皮膚引き締め剤、脱色剤、およびこれらの組み合わせ物から成る群から選択される、方法。
（３）レチノイド、銅含有物、皮膚引き締め剤、脱色剤、およびこれらの組み合わせ物から成る群から選択される、皮膚に対して有益な薬剤を含有している組成物を含む製品において、皮膚の一定の広がりの部分を、当該皮膚の一定の広がりの部分に機械的なエネルギーを与える装置に接触させた後に、その皮膚の一定の広がりの部分に前記組成物を供給するように、使用者に指示する説明書、をさらに備えている製品。
（４）皮膚の一定の広がりの部分に機械的なエネルギーを送達するための装置において、
（ａ）皮膚接触可能な表面を有する皮膚接触可能な要素であって、有益な薬剤、装置向上剤、およびこれらの組み合わせ物から成る群から選択される、薬剤を含む、皮膚接触可能な要素と、
（ｂ）モータと、
（ｃ）前記皮膚接触可能な表面に周期的な動作を与えるために、前記モータから前記皮膚接触可能な要素に機械的なエネルギーを伝達するための伝達部材と、
を備えており、
前記薬剤は、前記皮膚接触可能な表面を前記皮膚の一定の広がりの部分に接触させる時に、前記皮膚接触可能な要素からその皮膚の一定の広がりの部分に放出されるように構成されている、装置。
（５）製品において、
（ａ）皮膚接触可能な表面を有する皮膚接触可能な要素であって、有益な薬剤、装置向上剤、およびこれらの組み合わせ物から成る群から選択される、薬剤を含む、皮膚接触可能な要素と、
（ｂ）前記皮膚接触可能な要素を動力化した装置に連結させるように、使用者に指示する説明書であって、この動力化した装置は機械的なエネルギーを前記皮膚接触可能な表面に与えるためのものである、説明書と、
を含み、
前記薬剤は、前記皮膚接触可能な表面を前記皮膚の一定の広がりの部分に接触させる時に、前記皮膚接触可能な要素からその皮膚の一定の広がりの部分に放出されるように構成されている、製品。
【０２１７】
（６）皮膚の一定の広がりの部分に機械的なエネルギーを送達するための装置において、
（ａ）皮膚接触可能な表面を有する皮膚接触可能な要素と、
（ｂ）モータと、
（ｃ）前記皮膚接触可能な表面に周期的な動作を与えるために、前記モータから前記皮膚接触可能な要素に機械的なエネルギーを伝達するための伝達部材と、
を備えており、
前記皮膚接触可能な要素は、前記装置の動作の一定時間の期間の経過後に、使用者に対して認識できる感覚の変化を与えることに適合している信号マーカー、を含んでおり、前記感覚は、触覚、嗅覚、熱、視覚、聴覚、およびこれらの組み合わせから成る群から選択される、装置。
（７）製品において、
（ａ）装置の動作の一定時間の期間の経過後に、使用者に対して認識できる感覚の変化を与えることに適合している信号マーカー、を含んでいる皮膚接触可能な要素であって、前記感覚は、触覚、嗅覚、熱、視覚、聴覚、およびこれらの組み合わせから成る群から選択される、皮膚接触可能な要素と、
（ｂ）前記皮膚接触可能な要素を動力化した装置に連結させることを、使用者に指示する説明書と、
を含んでおり、
前記動力化した装置は前記皮膚接触可能な表面に機械的なエネルギーを与えるためのものである、製品。
（８）皮膚に機械的なエネルギーを送達するための装置において、
（ａ）ユーザー出力組立体であって、
（ｉ）皮膚接触可能な表面を有する皮膚接触可能な要素と、
（ｉｉ）モータと、
（ｉｉｉ）前記モータから前記皮膚接触可能な要素にエネルギーを伝達するための伝達部材と、を含む、ユーザー出力組立体と、
（ｂ）使用者により前記装置に与えられるユーザー属性データを受容することに適合している受容要素と、
（ｃ）前記受容要素および前記ユーザー出力組立体に連結されているコントローラと、
を含んでおり、
前記コントローラは、前記受容要素により受容されるユーザー属性データに基いて、前記ユーザー出力組立体に対して動作の命令を行なう、装置。
（９）皮膚の一定の広がりの部分に機械的なエネルギーを送達するための装置において、
（ａ）ユーザー出力組立体であって、
（ｉ）皮膚接触可能な表面を有する皮膚接触可能な要素と、
（ｉｉ）モータと、
（ｉｉｉ）前記モータから前記皮膚接触可能な要素にエネルギーを伝達するための伝達部材と、を含む、ユーザー出力組立体と、
（ｂ）前記皮膚接触可能な表面に連通している検出部であって、前記皮膚の一定の広がりの部分に付随している少なくとも一つの特性の状態を感知することができ、この少なくとも一つの特性は、熱特性、化学特性、光学特性、およびこれらの組み合わせから成る群から選択される、検出部と、
（ｃ）前記検出部および前記ユーザー出力組立体に連結されているコントローラであって、前記検出部により感知された少なくとも一つの特性の内の一つ以上に基いて、前記ユーザー出力組立体に対して動作の命令を行なう、コントローラと、
を含んでいる、装置。
（１０）実施態様１に記載の方法において、（ｉ）前記皮膚接触可能な表面は第１の補助表面および第２の補助表面を含み、（ｉｉ）前記方法は、前記第２の補助表面が前記第１の補助表面に対してばらばらの関係で移動するように、前記第１の補助表面に対して第１の周期的な動作と、前記第２の補助表面に対して第２の周期的な動作と、を与える過程、をさらに含む、方法。
【０２１８】
（１１）実施態様１に記載の方法、実施態様４に記載の装置、または実施態様５に記載の製品、において、前記有益な薬剤は、反射剤、皮膜形成ポリマー、アミノ酸およびこれらの誘導体、アレルギー抑制剤、抗アクネ剤、老化防止剤、しわ抑制剤、消毒薬、鎮痛薬、光沢調整剤、かゆみ止め、抗菌剤、脱毛抑制剤、毛髪成長促進薬、毛髪成長抑制薬、抗ヒスタミン薬、抗感染薬、抗炎症剤、抗コリン作用薬、血管収縮薬、血管拡張薬、創傷治癒促進薬、ペプチド、ポリペプチドおよび蛋白質、消臭薬および制汗薬、皮膜形成ポリマー、ビタミン、皮膚白色化剤、皮膚黒色化剤、抗真菌薬、脱毛剤、反対刺激薬、酵素および酵素抑制剤、ツタウルシ製品、ウルシ製品、やけど用製品、おむつかぶれ防止剤、紅色汗疹剤、ハーブ抽出物、フラボノイド、センセート、酸化防止薬、毛髪白色化薬、キレート化剤、角質溶解薬、サンスクリーン剤、抗水腫剤、およびこれらの混合物、から成る群から選択される、方法、装置、または製品。
（１２）実施態様１に記載の方法において、前記皮膚接触可能な要素は前記有益な薬剤を含有しており、この有益な薬剤はその皮膚接触可能な要素から前記皮膚の一定の広がりの部分に伝達される、方法。
（１３）実施態様２に記載の方法において、前記接触はしばらくの期間の経過後に始まり、このしばらくの期間は、前記皮膚接触可能な表面に対する前記皮膚の一定の広がりの部分の接触が終わった時と、前記有益な薬剤に対する前記皮膚の一定の広がりの部分の接触が始まった時と、の間の時間の期間により定められ、このしばらくの期間は１２時間よりも短い、方法。
（１４）実施態様２に記載の方法において、前記接触はしばらくの期間の経過後に始まり、このしばらくの期間は、前記皮膚接触可能な表面に対する前記皮膚の一定の広がりの部分の接触が終わった時と、前記有益な薬剤に対する前記皮膚の一定の広がりの部分の接触が始まった時と、の間の時間の期間により定められ、このしばらくの期間は３０分よりも短い、方法。
（１５）実施態様４に記載の装置において、前記皮膚接触可能な要素は、前記皮膚接触可能な表面の少なくとも一部分を形成している制御層、をさらに含み、この制御層は一定の遅延期間にわたり変性するように構成されている、装置。
【０２１９】
（１６）実施態様５に記載の製品において、前記皮膚接触可能な要素は、前記皮膚接触可能な表面の少なくとも一部分を形成している制御層、をさらに具備し、この制御層は一定の遅延期間にわたり変性するように構成されている、装置。
（１７）皮膚に機械的なエネルギーを送達するための方法において、
（ａ）実施態様８に記載の装置の受容要素に、ユーザー属性データを、供給する過程と、
（ｂ）前記装置の皮膚接触可能な表面に、皮膚の一定の広がりの部分を接触させる過程と、
を含む、方法。
（１８）皮膚に機械的なエネルギーを送達するための方法において、実施態様９に記載の装置の皮膚接触可能な表面に、皮膚の一定の広がりの部分を接触させる過程、を含む、方法。
【図面の簡単な説明】
【０２２０】
【図１】本明細書において記載されている本発明の実施形態に一貫している皮膚治療システムの種々の構成部品の断面の概略図である。
【図２Ａ】本明細書において記載されている本発明の実施形態に一貫している装置において使用できる機械的エネルギー送達補助組立体の上面図である。
【図２Ｂ】図２Ａの機械的エネルギー送達補助組立体の側面図である。
【図３Ａ】本明細書において記載されている本発明の実施形態に一貫している様式で、伝達部材に付随して配置されている皮膚接触可能な要素の分解された、三次元の、上面の斜視図である。
【図３Ｂ】本明細書において記載されている本発明の実施形態に一貫している様式で、伝達部材に付随して配置されている皮膚接触可能な要素の、別の実施形態の、分解された、三次元の、上面の斜視図である。
【図４Ａ】本明細書において記載されている本発明の実施形態に一貫している装置の、分解された側面図であり、この装置に接触している皮膚の一定の広がりの部分に与えることができる動作の種々の形態を示している。
【図４Ｂ】本明細書において記載されている本発明の実施形態に一貫している装置の、分解された側面図であり、この装置に接触している皮膚の一定の広がりの部分に与えることができる動作の種々の形態を示している。
【図４Ｃ】本明細書において記載されている本発明の実施形態に一貫している装置の、分解された側面図であり、この装置に接触している皮膚の一定の広がりの部分に与えることができる動作の種々の形態を示している。
【図４Ｄ】本明細書において記載されている本発明の実施形態に一貫している装置の、分解された側面図であり、この装置に接触している皮膚の一定の広がりの部分に与えることができる動作の種々の形態を示している。
【図４Ｅ】本明細書において記載されている本発明の実施形態に一貫している装置の、分解された側面図であり、この装置に接触している皮膚の一定の広がりの部分に与えることができる動作の種々の形態を示している。
【図４Ｆ】本明細書において記載されている本発明の実施形態に一貫している装置の、分解された側面図であり、この装置に接触している皮膚の一定の広がりの部分に与えることができる動作の種々の形態を示している。
【図５Ａ】本明細書において記載されている本発明の実施形態に一貫している様式で使用できる機械的エネルギー送達補助組立体の別の実施形態の上面図である。
【図５Ｂ】図５Ａの機械的エネルギー送達補助組立体の側面図である。
【図６Ａ】本明細書において記載されている本発明の実施形態による皮膚に接触させるために使用できる皮膚接触可能な要素の、三次元の、上面の、斜視図である。
【図６Ｂ】本明細書において記載されている本発明の実施形態による皮膚に接触させるために使用できる皮膚接触可能な要素の、三次元の、上面の、斜視図である。
【図６Ｃ】本明細書において記載されている本発明の実施形態による皮膚に接触させるために使用できる皮膚接触可能な要素の、三次元の、上面の、斜視図である。
【図６Ｄ】本明細書において記載されている本発明の実施形態による皮膚に接触させるために使用できる皮膚接触可能な要素の、三次元の、上面の、斜視図である。
【図６Ｅ】本明細書において記載されている本発明の実施形態による皮膚に接触させるために使用できる皮膚接触可能な要素の、三次元の、上面の、斜視図である。
【図７Ａ】皮膚に対する機械的な装置の出力を決定するために有用な試験装置の側面図である。
【図７Ｂ】皮膚に対する機械的な装置の基準線の出力を決定することに適合している、図７Ａの試験装置の側面図である。
【図８】本明細書において記載されている本発明の実施形態に一貫している、多層構造を有する皮膚接触可能な要素の、分解された断面図である。
【図９】本明細書において記載されている本発明の実施形態を伴って使用するために適しているコントローラのブロック図である。
【図１０Ａ】本明細書において記載されている本発明の実施形態に一貫している装置により発生できる波形の例を示している。
【図１０Ｂ】本明細書において記載されている本発明の実施形態に一貫している装置により発生できる波形の例を示している。
【図１０Ｃ】本明細書において記載されている本発明の実施形態に一貫している装置により発生できる波形の例を示している。
【図１０Ｄ】本明細書において記載されている本発明の実施形態に一貫している装置により発生できる波形の例を示している。
【図１】
2007520269.tif 000004
【図２Ａ】
2007520269.tif 000005
【図２Ｂ】
2007520269.tif 000006
【図３Ａ】
2007520269.tif 000007
【図３Ｂ】
2007520269.tif 000008
【図４Ａ】
2007520269.tif 000009
【図４Ｂ】
2007520269.tif 000010
【図４Ｃ】
2007520269.tif 000011
【図４Ｄ】
2007520269.tif 000012
【図４Ｅ】
2007520269.tif 000013
【図４Ｆ】
2007520269.tif 000014
【図５Ａ】
2007520269.tif 000015
【図５Ｂ】
2007520269.tif 000016
【図６Ａ】
2007520269.tif 000017
【図６Ｂ】
2007520269.tif 000018
【図６Ｃ】
2007520269.tif 000019
【図６Ｄ】
2007520269.tif 000020
【図６Ｅ】
2007520269.tif 000021
【図７Ａ】
2007520269.tif 000022
【図７Ｂ】
2007520269.tif 000023
【図８】
2007520269.tif 000024
【図９】
2007520269.tif 000025
【図１０Ａ】
2007520269.tif 000026
【図１０Ｂ】
2007520269.tif 000027
【図１０Ｃ】
2007520269.tif 000028
【図１０Ｄ】
2007520269.tif 000029
【国際調査報告】
2007520269.tif 000030
2007520269.tif 000031
2007520269.tif 000032
2007520269.tif 000033
2007520269.tif 000034